(57)【要約】【課題】カビや細菌の数を減少させる運転を行っているときに、圧縮機の吐出圧力が使用範囲の上限値を超えないようにする空気調和機を提供する。【解決手段】室内熱交加熱運転時保護制御では、室内熱交温度Ｔｃが暖房運転時保護制御における第１閾室内熱交温度Ｔｃｈ１よりも高い第２閾室内熱交温度Ｔｃｈ２以上となれば、圧縮機２１を停止させる。あるいは、吐出温度Ｔｄが暖房運転時保護制御における第１閾吐出温度Ｔｄｈ１以上となれば圧縮機２１を停止させる。あるいは、暖房運転時保護制御では実行しないものとして、室外熱交温度Ｔｅが閾室外熱交温度Ｔｅｈ以上であれば圧縮機２１を停止して圧縮機２１の吸入圧力が上昇することを抑制する。【選択図】図１１
2019060528.tif 000002
【特許請求の範囲】
【請求項１】
室内熱交換器と、同室内熱交換器の温度である室内熱交温度を検出する室内熱交温度センサを有する室内機と、
圧縮機を有する室外機と、
前記圧縮機を制御する制御手段と、
を有する空気調和機であって、
前記制御手段は、
前記室内熱交換器を凝縮器として機能させているとき、第１保護制御あるいは第２保護制御を実行し、
前記第１保護制御は、前記室内熱交温度が所定の第１閾室内熱交温度より高い温度となれば実行されるものであり、
前記第２保護制御は、前記室内熱交温度が前記第１閾室内熱交温度より高い所定の第２閾室内熱交温度より高い温度となれば実行されるものである、
ことを特徴とする空気調和機。
【請求項２】
前記第１保護制御は、暖房運転時に実行され、
前記第２保護制御は、前記室内熱交換器を凝縮器として機能させるとともに、前記室内熱交温度を同室内熱交換器に存在するカビや細菌の数を減少させる温度以上に維持する室内熱交加熱運転時に実行される、
ことを特徴とする請求項1に記載の空気調和機。
【請求項３】
前記第２閾室内熱交温度は、前記室内熱交加熱運転時の前記室内熱交温度の目標温度より高い温度である、
ことを特徴とする請求項１または請求項２のいずれかに記載の空気調和機。
【請求項４】
前記制御手段は、
前記第１保護制御において、前記室内熱交温度が前記第１閾室内熱交温度より高い温度となれば、前記暖房運転を停止し、
前記第２保護制御において、前記室内熱交温度が前記第２閾室内熱交温度より高い温度となれば、前記室内熱交加熱運転を停止する、
ことを特徴とする請求項１乃至請求項３のいずれかに記載の空気調和機。
【請求項５】
前記室外機は、前記圧縮機から吐出される冷媒の温度である吐出温度を検出する吐出温度センサを有し、
前記第２保護制御は、前記室内熱交温度に加えて、前記吐出温度が所定の第１閾吐出温度より高い温度となれば実行され、
前記第１保護制御は、前記室内熱交温度に加えて、前記吐出温度が前記第１閾吐出温度より高い所定の第２吐出温度となれば実行さる、
ことを特徴とする請求項１乃至請求項４のいずれかに記載の空気調和機。
【請求項６】
前記室外機は、室外熱交換器と、同室外熱交換器の温度である室外熱交温度を検出する室外熱交温度センサを有し、
前記第２保護制御は、前記室内熱交温度および前記吐出温度に加えて、前記室外熱交温度が所定の閾室外熱交温度より高い温度となれば実行される、
ことを特徴とする請求項１乃至請求項５のいずれかに記載の空気調和機。
【請求項７】
前記室外機は、外気温度を検出する外気温度センサを有し、
前記第２保護制御は、前記室内熱交温度および前記吐出温度および前記室外熱交温度に加えて、前記外気温度が所定の閾外気温度より高い温度となれば実行される、
ことを特徴とする請求項１乃至請求項６のいずれかに記載の空気調和機。
【請求項８】
前記第１保護制御における前記暖房運転の停止、および、前記第２保護制御における前記室内熱交加熱運転の停止では、それぞれ前記圧縮機が停止される、
ことを特徴とする請求項４に記載の空気調和機。
【発明の詳細な説明】
【技術分野】
【０００１】
本発明は、室内機でのカビや細菌の繁殖を抑制する空気調和機に関する。
【背景技術】
【０００２】
空気調和機が冷房運転を行うときは、蒸発器として機能する室内熱交換器で凝縮水が生成される。室内熱交換器で生成された凝縮水は室内熱交換器でカビや細菌が繁殖する要因となり、カビや細菌が繁殖すると、室内機から吹き出される空調空気が不快な臭いとなる。そこで、冷房運転後に室内熱交換器を含む室内機の内部を乾燥させる空気調和機が提案されている（例えば、特許文献１や特許文献２を参照）。
【先行技術文献】
【特許文献】
【０００３】
【特許文献１】特開平１０−６２０００号公報
【特許文献２】特開２０１６−６５６８７号公報
【発明の概要】
【発明が解決しようとする課題】
【０００４】
特許文献１や特許文献２に記載の空気調和機では、冷房運転後に室内機の内部を乾燥させるために、室内熱交換器を加熱する。しかし、上記のような乾燥のための加熱では、室内熱交換器の温度は暖房運転時の温度とさほど変わらず、カビや細菌の数の減少にはつながらない。一般的には、上記のような室内機の内部を乾燥させる運転では、室内熱交換器の温度が４０℃程度に設定されるが、この温度ではカビや細菌の生育が抑制されるのみであり、再度冷房運転が行われると生育が抑制されていたカビや細菌が再び繁殖する可能性がある。
【０００５】
そこで、カビや細菌の数を減少させるために、室内熱交換器をさらに加熱して室内熱交換器の温度を高くする、例えば、室内熱交換器の目標温度を５０℃以上とすることが考えられる。このとき、短時間でカビや細菌の数を大幅に減少させるためには、目標温度をできるだけ高くすることが望ましい。
【０００６】
一方で、空気調和機には、圧縮機の吐出圧力が使用範囲の上限値を超えることがないようにする保護制御が実行できるようにされている。保護制御の一種として、圧縮機の吐出圧力の使用範囲の上限値に対応する温度より低い温度を閾温度とし、室内熱交温度がこの閾温度を超えると圧縮機を停止させるものがある。
【０００７】
上記のような保護制御ができる空気調和機で、カビや細菌の数を減少させるために室内熱交換器を加熱するときに、上述した保護制御の閾温度が殺菌時の室内熱交換器の目標温度より低いと、室内熱交温度が目標温度に到達する前に保護制御によって圧縮機が停止するので、カビや細菌の数を減少させることができないという問題があった。
【０００８】
本発明は以上述べた問題点を解決するものであって、カビや細菌の数を減少させる運転を行っているときに、圧縮機の吐出圧力が使用範囲の上限値を超えないようにする空気調和機を提供することを目的とする。
【課題を解決するための手段】
【０００９】
上記の課題を解決するために、本発明の空気調和機は、室内熱交換器と室内熱交換器の温度である室内熱交温度を検出する室内熱交温度センサを有する室内機と、圧縮機を有する室外機と、圧縮機を制御する制御手段を有する。そして、制御手段は、室内熱交換器を凝縮器として機能させているとき、第１保護制御と第２保護制御を実行でき、第１保護制御は、室内熱交温度が所定の第１閾室内熱交温度より高い温度となれば実行され、第２保護制御は、室内熱交温度が第１閾室内熱交温度より高い所定の第２閾室内熱交温度より高い温度となれば実行される。
【発明の効果】
【００１０】
上記のように構成した本発明の空気調和機によれば、室内熱交温度が第１閾室内熱交温度より高い所定の第２閾室内熱交温度より高い温度となれば第２保護制御を行う。従って、カビや細菌の数を減少させる運転を行っているときに、圧縮機の吐出圧力が使用範囲の上限値を超えないようにすることができる。
【図面の簡単な説明】
【００１１】
【図１】本発明の実施形態における、空気調和機の説明図であり、（Ａ）は室内機および室外機の外観斜視図、（Ｂ）は（Ａ）におけるＸ−Ｘ断面図である。
【図２】本発明の実施形態における、空気調和機の説明図であり、（Ａ）は冷媒回路図、（Ｂ）は室外機制御手段および室内機制御手段のブロック図である。
【図３】暖房運転制御の処理の流れを示すフローチャートである。
【図４】暖房運転時保護制御の処理の流れを示すフローチャートである。
【図５】室内熱交温度毎のカビあるいは細菌の残存率を示すデータであり、（Ａ）はカビについて、（Ｂ）は大腸菌についてのデータである。
【図６】室内熱交加熱運転時の各ファンの制御テーブルであり、（Ａ）は室内ファン制御テーブル、（Ｂ）は室外ファン制御テーブルである。
【図７】室内熱交加熱運転のメインルーチンの処理の流れを示すフローチャートである。
【図８】室内熱交加熱運転のサブルーチンであり、加熱前運転制御の処理の流れを示すフローチャートである。
【図９】室内熱交加熱運転のサブルーチンであり、温度維持時室内ファン制御の処理の流れを示すフローチャートである。
【図１０】室内熱交加熱運転のサブルーチンであり、温度維持時室外ファン制御の処理の流れを示すフローチャートである。
【図１１】室内熱交加熱運転時保護制御の処理の流れを示すフローチャートである。
【発明を実施するための形態】
【００１２】
以下、本発明の実施の形態を、添付図面に基づいて詳細に説明する。実施形態としては、室外機と室内機が２本の冷媒配管で接続された空気調和機を例に挙げて説明する。尚、本発明は以下の実施形態に限定されることはなく、本発明の主旨を逸脱しない範囲で種々変形することが可能である。
【実施例】
【００１３】
図１（Ａ）に示すように、本実施例における空気調和機１は、屋外に設置される室外機２と、室内に設置されて室外機２に液管４およびガス管５で接続される室内機３を有している。
【００１４】
＜室内機の形状および装置の配置＞
室内機３は、横長の略直方体形状とされた室内機筐体３０を有している。室内機筐体３０は、天面パネル３０ａと、右側面パネル３０ｂと、左側面パネル３０ｃと、底面パネル３０ｄと、前面パネル３０ｅで形成されている。これら各パネルは、全て樹脂材を用いて形成されている。
【００１５】
天面パネル３０ａは略四方形状に形成されて室内機筐体３０の天面を形成する。天面パネル３０ａには、図１（Ｂ）に示すように、室内機３の内部に室内空気を取り込むための吸込口３０ｆが設けられている。図示は省略するが、吸込口３０ｆは格子状に形成されている。
【００１６】
右側面パネル３０ｂおよび左側面パネル３０ｃは、室内機筐体３０の左右側面を形成する。右側面パネル３０ｂおよび左側面パネル３０ｃは、所定の曲率を有する曲面に形成されており、左右対称形状とされている。
【００１７】
底面パネル３０ｄは略四方形状に形成されて室内機筐体３０の底面を形成する。底面パネル３０ｄには、図１（Ｂ）に示すように、後述するベース３０ｊが固定されている。
【００１８】
前面パネル３０ｅは略四方形状に形成されて室内機筐体３０の前面を覆うように配置されている。前面パネル３０ｅは、室内機３の意匠面を形成する。
【００１９】
前述したように、天面パネル３０ａには吸込口３０ｆが設けられており、また、前面パネル３０ｅの下方には、後述する室内熱交換器３１で冷媒と熱交換を行った室内空気を室内に吹き出すための吹出口３０ｇが設けられている。吸込口３０ｆと吹出口３０ｇとを繋ぐ通風路３０ｈには、吸込口３０ｆから室内空気を吸い込み、吹出口３０ｇから吹き出すための室内ファン３２が設けられている。また、室内ファン３２の上方には折り曲げ部３０ｎを有することで逆Ｖ字型とされた室内熱交換器３１が配置されている。室内熱交換器３１や室内ファン３２は、室内機３を壁面に取り付けるためのベース３０ｊに固定されている。
【００２０】
吹出口３０ｇは、ベース３０ｊの下部と、前面パネル３０ｅに取り付けられたケーシング３０ｋの下面で形成されている。尚、ベース３０ｊおよびケーシング３０ｋの上面は、室内熱交換器３１で生じた結露水を受けるドレンパン３０ｍとされている。
【００２１】
吹出口３０ｇには、吹出口３０ｇから吹き出される空気を上下方向に偏向する２枚の上下風向板３５が設けられている。２枚の上下風向板３５は各々が樹脂材で形成されており、室内機３が運転を停止しているときは、各上下風向板３５が回動して吹出口３０ｇを塞ぐことができる形状とされている。各上下風向板３５は図示しない回転軸に固定されており、各上下風向板３５が上下方向に回動することで吹出口３０ｇから吹き出される空気を上下方向に偏向する。
【００２２】
上下風向板３５から見て吹出口３０ｇの上流側（室内機筐体３０の内部側）には、吹出口３０ｇから吹き出される空気を左右方向に偏向する複数枚の左右風向板３６が設けられている。各々の左右風向板３６は樹脂材で形成されて図示しない回転軸に固定されており、各左右風向板３６が左右方向に回動することで吹出口３０ｇから吹き出される空気を左右方向に偏向する。
【００２３】
通風路３０ｈにおける室内熱交換器３１の上流側（室内熱交換器３１と吸込口３０ｆとの間）には、室内機３の内部に取り込んだ空気に含まれる塵埃を除去するためのフィルタ３８が配置されている。このフィルタ３８は、例えば、樹脂材からなる繊維を網目状に編み込んで形成されている。吸込口３０ｆから室内機３の筐体３０の内部に取り込まれた室内空気がフィルタ３８を通過する際は、この室内空気に含まれるフィルタ３８の網目より大きな塵埃が、フィルタ３８に捕捉される。
【００２４】
＜空気調和機の構成と冷媒回路＞
次に、室外機２および室内機３を構成する各装置と、室外機２と室内機３が冷媒配管で接続されてなる空気調和機１の冷媒回路について、図２を用いて詳細に説明する。前述したように、室外機２と室内機３は冷媒配管である液管４とガス管５で接続されている。詳細には、室外機２の閉鎖弁２５と室内機３の液管接続部３３が液管４で接続されている。また、室外機２の閉鎖弁２６と室内機３のガス管接続部３４がガス管５で接続されている。以上により、空気調和機１の冷媒回路１０が構成されている。
【００２５】
＜室外機の構成＞
室外機２は、圧縮機２１と、四方弁２２と、室外熱交換器２３と、室外ファン２７と、液管４が接続された閉鎖弁２５と、ガス管５が接続された閉鎖弁２６と、膨張弁２４と、室外機制御手段２００を備えている。そして、室外ファン２７と室外機制御手段２００を除くこれら各装置が、以下で詳述する各冷媒配管で相互に接続されて冷媒回路１０の一部をなす室外機冷媒回路１０ａを構成している。
【００２６】
圧縮機２１は、図示しないインバータにより回転数が制御されることで、運転容量を変えることができる容量可変型圧縮機である。圧縮機２１の冷媒吐出側は、四方弁２２のポートａと吐出管６１で接続されている。また、圧縮機２１の冷媒吸入側は、四方弁２２のポートｃと吸入管６６で接続されている。
【００２７】
四方弁２２は、冷媒の流れる方向を切り換えるための弁であり、ａ、ｂ、ｃ、ｄの４つのポートを備えている。ポートａは、上述したように圧縮機２１の冷媒吐出側と吐出管６１で接続されている。ポートｂは、室外熱交換器２３の一方の冷媒出入口と冷媒配管６２で接続されている。ポートｃは、上述したように圧縮機２１の冷媒吸入側と吸入管６６で接続されている。そして、ポートｄは、閉鎖弁２６と室外機ガス管６４で接続されている。
【００２８】
室外熱交換器２３は、冷媒と、後述する室外ファン２７の回転により室外機２の内部に取り込まれた外気を熱交換させるものである。室外熱交換器２３の一方の冷媒出入口は、上述したように四方弁２２のポートｂと冷媒配管６２で接続され、他方の冷媒出入口は室外機液管６３で閉鎖弁２５と接続されている。
【００２９】
膨張弁２４は、例えば電子膨張弁である。膨張弁２４は、室内機３で要求される冷房能力や暖房能力に応じてその開度が調整されることで、室内機３に流れる冷媒量を調節する。
【００３０】
室外ファン２７は樹脂材で形成されており、室外熱交換器２３の近傍に配置されている。室外ファン２７は、図示しないファンモータによって回転することで室外機２の図示しない吸込口から室外機２の内部へ外気を取り込み、室外熱交換器２３において冷媒と熱交換した外気を室外機２の図示しない吹出口から室外機２外部へ放出する。
【００３１】
以上説明した各装置の他に、室外機２には以下に記載する３つのセンサが設けられている。図１（Ａ）に示すように、吐出管６１には、圧縮機２１から吐出される冷媒の温度を検出する吐出温度センサ７１が設けられている。室外熱交換器２３の図示しない冷媒パスの略中間部には、室外熱交換器２３の温度（以降、室外熱交温度と記載する）を検出する室外熱交温度センサ７２が設けられている。そして、室外機２の図示しない吸込口付近には、室外機２の内部に流入する外気の温度、すなわち外気温度を検出する外気温度センサ７３が備えられている。
【００３２】
室外機制御手段２００は、室外機２の図示しない電装品箱に格納されている制御基板に搭載されている。図２（Ｂ）に示すように、室外機制御手段２００は、ＣＰＵ２１０と、記憶部２２０と、通信部２３０と、センサ入力部２４０とを備えている。
【００３３】
記憶部２２０は、ＲＯＭやＲＡＭで構成されており、室外機２の制御プログラムや各種センサからの検出信号に対応した検出値、圧縮機２１や室外ファン２７の制御状態等を記憶している。通信部２３０は、室内機３との通信を行うインターフェイスである。センサ入力部２４０は、室外機２の各種センサでの検出結果を取り込んでＣＰＵ２１０に出力する。
【００３４】
ＣＰＵ２１０は、前述した室外機２の各センサでの検出結果を、センサ入力部２４０を介して取り込む。また、ＣＰＵ２１０は、室内機３から送信される制御信号を、通信部２３０を介して取り込む。ＣＰＵ２１０は、取り込んだ検出結果や制御信号に基づいて、圧縮機２１や室外ファン２７の駆動制御を行う。また、ＣＰＵ２１０は、取り込んだ検出結果や制御信号に基づいて、四方弁２２の切り換え制御を行う。さらには、ＣＰＵ２１０は、取り込んだ検出結果や制御信号に基づいて、膨張弁２４の開度調整を行う。
【００３５】
＜室内機の構成＞
室内機３は、前述した室内熱交換器３１、室内ファン３２、上下風向板３５、左右風向板３６、および、フィルタ３８に加えて、液管４が接続された液管接続部３３と、ガス管５が接続されたガス管接続部３４と、室内機制御手段３００を備えている。そして、室内ファン３２、上下風向板３５、左右風向板３６、フィルタ３８、および、室内機制御手段３００を除くこれら各装置が、以下で詳述する各冷媒配管で相互に接続されて冷媒回路１０の一部をなす室内機冷媒回路１０ｂを構成している。
【００３６】
室内熱交換器３１は、冷媒と室内ファン３２の回転により室内機３の吸込口３０ｆから室内機３の内部に取り込まれた室内空気を熱交換させるものであり、一方の冷媒出入口が液管接続部３３と室内機液管６７で接続され、他方の冷媒出入口がガス管接続部３４と室内機ガス管６８で接続されている。室内熱交換器３１は、室内機３が冷房運転を行う場合は蒸発器として機能し、室内機３が暖房運転を行う場合は凝縮器として機能する。尚、液管接続部３３やガス管接続部３４では、各冷媒配管が溶接やフレアナット等により接続されている。
【００３７】
室内ファン３２は樹脂材で形成されており、前述したように通風路３０ｈにおける室内熱交換器３１の下流側に配置されている。室内ファン３１は、図示しないファンモータによって回転することで、室内機３の吸込口３０ｆから室内機３内に室内空気を取り込み、室内熱交換器３１において冷媒と熱交換した室内空気を室内機３の吹出口３０ｇから室内へ吹き出す。
【００３８】
以上説明した各装置の他に、室内機３には以下に記載する２つのセンサが設けられている。室内熱交換器３１の図示しない冷媒パスの略中間部には、室内熱交換器３１の温度（以降、室内熱交温度と記載する）を検出する室内熱交温度センサ７４が設けられている。また、図１（Ｂ）に示すように、室内機３の吸込口３０ｆとフィルタ３８の間には、吸込口３０ｆから室内機３の内部に吸い込む空気の温度、すなわち室内温度を検出する室内温度センサ７５が設けられている。
【００３９】
室内機制御手段３００は、室内機３の図示しない電装品箱に格納されている制御基板に搭載されている。図２（Ｂ）に示すように、室内機制御手段３００は、ＣＰＵ３１０と、記憶部３２０と、通信部３３０と、センサ入力部３４０を備えている。
【００４０】
記憶部３２０は、ＲＯＭやＲＡＭで構成されており、室内機３の制御プログラムや各種センサからの検出信号に対応した検出値、室内ファン３２の制御状態等を記憶している。通信部３３０は、室外機２の室外機制御手段２００との通信を行うためのインターフェイスである。センサ入力部３４０は、室内機３の室内熱交温度センサ７４や室内温度センサ７５での検出結果を取り込んでＣＰＵ１１０に出力する。
【００４１】
ＣＰＵ３１０は、前述した室内機３の各センサでの検出結果を、センサ入力部３４０を介して取り込む。また、ＣＰＵ３１０は、使用者が操作する図示しないリモコンから送信される、運転モード（冷房運転／暖房運転）や風量等を含む運転情報信号を、通信部３３０を介して取り込む。ＣＰＵ３１０は、取り込んだ検出結果や運転情報信号に基づいて、室内ファン３２や上下風向板３５、左右風向板３６の駆動制御を行う。
【００４２】
＜冷媒回路の動作＞
次に、本実施形態における空気調和機１の空調運転時の冷媒回路１０における冷媒の流れや各部の動作について、図２（Ａ）を用いて説明する。尚、以下の説明では、まず室内機３が冷房運転を行う場合について説明し、次に室内機３が暖房運転を行う場合について説明する。尚、図２（Ａ）において、実線矢印は冷房運転時の冷媒の流れを示し、破線矢印は暖房運転時の冷媒の流れを示している。
【００４３】
＜冷房運転＞
室内機３が冷房運転を行う場合、図２（Ａ）に示すように、四方弁２２が実線で示す状態、すなわち、四方弁２２のポートａとポートｂとが連通するよう、また、ポートｃとポートｄとが連通するよう、切り換えられる。これにより、冷媒回路１０において室外熱交換器２３が凝縮器として機能するとともに室内熱交換器３１が蒸発器として機能するようになり、冷媒回路１０は実線矢印で示す方向に冷媒が循環する冷房サイクルとなる。
【００４４】
上記のような冷媒回路１０の状態で、圧縮機２１から吐出された高圧の冷媒は、吐出管６１を流れて四方弁２２に流入し、四方弁２２から冷媒配管６２を流れて室外熱交換器２３に流入する。室外熱交換器２３に流入した冷媒は、室外ファン２７の回転により室外機２の内部に取り込まれた外気と熱交換を行って凝縮する。室外熱交換器２３から室外機液管６３に流出した冷媒は、室内機３で使用者により要求される冷房能力に応じた開度とされている膨張弁２４を通過する際に減圧され、閉鎖弁２５を介して液管４に流入する。
【００４５】
液管４を流れて液側接続部３３を介して室内機３に流入した冷媒は、室内機液管６７を流れて室内熱交換器３１に流入し、室内ファン３２の回転により吸込口３０ｆから室内機３の通風路３０ｈに取り込まれた室内空気と熱交換を行って蒸発する。このように、室内熱交換器３１が蒸発器として機能し、室内熱交換器３１で冷媒と熱交換を行った室内空気が吹出口３０ｇから室内に吹き出されることによって、室内機３が設置された室内の冷房が行われる。
【００４６】
室内熱交換器３１から流出した冷媒は、室内機ガス管６８を流れてガス側接続部３４を介してガス管５に流入する。ガス管５を流れて閉鎖弁２６を介して室外機２に流入した冷媒は、順に室外機ガス管６４、四方弁２２、吸入管６６を流れ、圧縮機２１に吸入されて再び圧縮される。
【００４７】
＜暖房運転＞
室内機３が暖房運転を行う場合、図２（Ａ）に示すように、四方弁２２が破線で示す状態、すなわち、四方弁２２のポートａとポートｄとが連通するよう、また、ポートｂとポートｃとが連通するよう、切り換えられる。これにより、冷媒回路１０において室外熱交換器２３が蒸発器として機能するとともに室内熱交換器３１が凝縮器として機能するようになり、冷媒回路１０は破線矢印で示す方向に冷媒が循環する暖房サイクルとなる。
【００４８】
上記のような冷媒回路１０の状態で、圧縮機２１から吐出された高圧の冷媒は、吐出管６１を流れて四方弁２２に流入し、四方弁２２から室外機ガス管６４を流れて閉鎖弁２６を介してガス管５に流入する。ガス管５を流れる冷媒は、ガス管接続部３４を介して室内機３に流入する。
【００４９】
室内機３に流入した冷媒は、室内機ガス管６８を流れて室内熱交換器３１に流入し、室内ファン３２の回転により吸込口３０ｆから室内機３の通風路３０ｈに取り込まれた室内空気と熱交換を行って凝縮する。このように、室内熱交換器３１が凝縮器として機能し、室内熱交換器３１で冷媒と熱交換を行った室内空気が吹出口３０ｇから室内に吹き出されることによって、室内機３が設置された室内の暖房が行われる。
【００５０】
室内熱交換器３１から流出した冷媒は室内機液管６７を流れ、液管接続部３３を介して液管４に流入する。液管４を流れ閉鎖弁２５を介して室外機２に流入した冷媒は、室外機液管６３を流れて、室内機３で使用者により要求される暖房能力に応じた開度とされている膨張弁２４を通過する際に減圧される。
【００５１】
膨張弁２４を通過して室外熱交換器２３に流入した冷媒は、室外ファン２７の回転により室外機２の内部に取り込まれた外気と熱交換を行って蒸発する。室外熱交換器２３から冷媒配管６２に流出した冷媒は、四方弁２２、吸入管６６を流れ、圧縮機２１に吸入されて再び圧縮される。
【００５２】
＜暖房運転時の圧縮機、室外ファン、および、室内ファンの駆動制御＞
次に、暖房運転時の圧縮機２１、室外ファン２７、および、室内ファン３２の駆動制御（以降、暖房運転制御と記載する）について、図３に示すフローチャートを用いて詳細に説明する。図３において、ＳＴは処理のステップを表し、これに続く数字はステップ番号を表している。
【００５３】
尚、前述した室外機制御手段２００と室内機制御手段３００で、本発明の制御手段が構成される。従って、図３を含むこれ以降の制御や処理の説明の際は、空気調和機１の制御主体としては制御手段を用いて説明し、室外機２や室内機３の個々の装置の制御主体として、適宜室外機制御手段２００（のＣＰＵ２１０）や室内機制御手段３００（のＣＰＵ３１０）を用いて説明する。
【００５４】
使用者の指示により暖房運転の開始指示があれば、制御手段は室内温度（以降、室内温度Ｔｉと記載する）を取り込むとともに、設定温度（以降、設定温度Ｔｐと記載する）を読み出す（ＳＴ１）。具体的には、室内機制御手段３００のＣＰＵ３１０は、室内温度センサ７５で検出した室内温度Ｔｉを、センサ入力部３４０を介して定期的（例えば、３０秒毎）に取り込む。また、ＣＰＵ３１０は、使用者による図示しないリモコンの操作によって設定されて記憶部３２０に記憶されていた設定温度Ｔｐを読み出す。
【００５５】
次に、制御手段は、ＳＴ１で読み出した設定温度Ｔｐと取り込んだ室内温度Ｔｉの温度差（以降、温度差ΔＴと記載する）を算出する（ＳＴ２）。具体的には、ＣＰＵ３１０が設定温度Ｔｐから室内温度Ｔｉを減じて温度差ΔＴを算出する。
【００５６】
次に、制御手段は、ＳＴ２で算出した温度差ΔＴに応じた圧縮機２１の回転数（以降、圧縮機回転数Ｒｃと記載する）で圧縮機２１を駆動する（ＳＴ３）。具体的には、ＣＰＵ３１０は、算出した温度差ΔＴに応じた圧縮機回転数Ｒｃを、通信部３３０を介して室外機２に送信する。室内機３から送信された圧縮機回転数Ｒｃを通信部２３０を介して受信した室外機制御手段２００のＣＰＵ２１０は、受信した圧縮機回転数Ｒｃで圧縮機２１を駆動する。
【００５７】
次に、制御手段は、膨張弁２４の開度（以降、膨張弁開度Ｄと記載する）を、室内機３で使用者により要求される暖房能力に応じた開度とする（ＳＴ４）。具体的には、ＣＰＵ３１０が、暖房運転時に吐出温度センサ７１で検出する圧縮機２１の吐出温度が所定の目標温度となるように、膨張弁開度Ｄを調整する。
【００５８】
次に、制御手段は、ＳＴ３で決定した圧縮機回転数Ｒｃに応じた室外ファン２７の回転数（以降、室外ファン回転数Ｒｆｏと記載する）で室外ファン２７を駆動する（ＳＴ５）。具体的には、ＣＰＵ２１０が、圧縮機回転数Ｒｃに応じた室外ファン回転数Ｒｆｏで室外ファン２７を駆動する。
【００５９】
次に、制御手段は、使用者により室内機３の吹出口３０ｇから吹き出される空調空気の風量が自動に設定されているか否かを判断する（ＳＴ６）。風量が自動に設定されていれば（ＳＴ６−Ｙｅｓ）、制御手段は、ＳＴ２で算出した温度差ΔＴに応じた室内ファン３２の回転数（以降、室内ファン回転数Ｒｆｉと記載する）で室内ファン３２を駆動する（ＳＴ７）。また、風量が自動に設定されていなければ（ＳＴ６−Ｎｏ）、制御手段は、使用者によって設定された風量に応じた室内ファン回転数Ｒｆｉで室内ファン３２を駆動する（ＳＴ８）。具体的には、ＣＰＵ３１０が、温度差ΔＴあるいは使用者が設定した風量のいずれかに応じた室内ファン回転数Ｒｆｉで室内ファン３２を駆動する。
【００６０】
次に、制御手段は、使用者によって設定された風向となるように、上下風向板３５および左右風向板３６を制御し（ＳＴ９）、ＳＴ１に処理を戻す。具体的には、使用者の設定が「スイング」であれば、ＣＰＵ３１０は、上下風向板３５を上下に自動で回動させ、左右風向板３６を左右に自動で回動させる。また、使用者の設定が所定の位置であれば、使用者が設定した位置になるように上下風向板３５および左右風向板３６を回動させる。
【００６１】
＜暖房運転時保護制御＞
次に、暖房運転を行っているときに、圧縮機２１の吐出圧力が使用範囲の上限値を超えないようにする暖房運転時保護制御について、図４を用いて説明する。図４において、ＳＴは処理のステップを表し、これに続く数字はステップ番号を表している。
【００６２】
まず、制御手段は、室内熱交換器３１の温度（以降、室内熱交温度Ｔｃと記載する）と圧縮機２１の吐出温度（以降、吐出温度Ｔｄと記載する）を取り込む（ＳＴ１１）。具体的には、ＣＰＵ３１０は、室内熱交温度センサ７４で検出した室内熱交温度Ｔｃを、センサ入力部３４０を介して定期的（例えば、３０秒毎）に取り込む。一方、ＣＰＵ２１０は、吐出温度センサ７１で検出した吐出温度Ｔｄを、センサ入力部２４０を介して定期的（例えば、３０秒毎）に取り込む。
【００６３】
次に、制御手段は、ＳＴ１１で取り込んだ室内熱交温度Ｔｃが所定の温度（以降、第１閾室内熱交温度Ｔｃｈ１と記載する）以上であるか否かを判断する（ＳＴ１２）。具体的には、ＣＰＵ３１０は、記憶部３２０に予め記憶されている第１閾室内熱交温度Ｔｃｈ１を読み出して室内熱交温度Ｔｃと比較する。ここで、第１閾室内熱交温度Ｔｃｈ１は、予め試験などを行って求められているものであり、前述した圧縮機２１の吐出圧力の使用範囲の上限値に対応する室内熱交温度Ｔｃより所定温度低い温度とされており、例えば５５℃である。
【００６４】
室内熱交温度Ｔｃが第１閾室内熱交温度Ｔｃｈ１以上であれば（ＳＴ１２−Ｙｅｓ）、制御手段は、圧縮機２１の回転数を、所定の圧縮機レリース間隔時間（以降、圧縮機レリース間隔時間ｔｃと記載する）毎に所定の圧縮機レリース回転数（以降、圧縮機レリース回転数Ｒｃｒと記載する）だけ低下させる（ＳＴ１６）。具体的には、ＣＰＵ３１０が、室内熱交温度Ｔｃが第１閾室内熱交温度Ｔｃｈ１以上であると判断した旨の信号を、通信部３３０を介して室外機２に送信し、この信号を通信部２３０を介して受信したＣＰＵ２１０が、現在の圧縮機回転数Ｒｃから圧縮機レリース間隔時間ｔｃ毎に圧縮機レリース回転数Ｒｃｒだけ低下させた回転数となるように、圧縮機２１を制御する。ここで、圧縮機レリース間隔時間ｔｃおよび圧縮機レリース回転数Ｒｃｒは、それぞれが予め試験などを行って室内熱交温度Ｔｃを低下させる効果が確認されている値であり、例えば、圧縮機レリース間隔時間ｔｃは６０秒、圧縮機レリース回転数Ｒｃｒは２ｒｐｓである。
【００６５】
ＳＴ１６の処理を終えた制御手段は、室内熱交温度Ｔｃを取り込み（ＳＴ１７）、取り込んだ室内熱交温度Ｔｃが第１閾室内熱交温度Ｔｃｈ１以上であるか否かを判断する（ＳＴ１８）。具体的には、ＣＰＵ３１０が室内熱交温度Ｔｃを取り込み、取り込んだ室内熱交温度Ｔｃが第１閾室内熱交温度Ｔｃｈ１以上であるか否かを判断する。
【００６６】
取り込んだ室内熱交温度Ｔｃが第１閾室内熱交温度Ｔｃｈ１以上でなければ（ＳＴ１８−Ｎｏ）、制御手段は、ＳＴ１１に処理を戻す。取り込んだ室内熱交温度Ｔｃが第１閾室内熱交温度Ｔｃｈ１以上であれば（ＳＴ１８−Ｙｅｓ）、制御手段は、暖房運転を停止して（ＳＴ１９）、暖房運転時保護制御を終了する。具体的には、ＣＰＵ３１０は、取り込んだ室内熱交温度Ｔｃが第１閾室内熱交温度Ｔｃｈ１以上であれば、室内ファン３２を停止させるとともに、取り込んだ室内熱交温度Ｔｃが第１閾室内熱交温度Ｔｃｈ１以上となったことを示す信号を、通信部３３０を介して室外機２に送信する。この信号を通信部２３０を介して受信したＣＰＵ２１０は、圧縮機２１と室外ファン２７を停止させる。
【００６７】
ＳＴ１２において、室内熱交温度Ｔｃが第１閾室内熱交温度Ｔｃｈ１以上でなければ（ＳＴ１２−Ｎｏ）、制御手段は、ＳＴ１１で検出した吐出温度Ｔｄが、所定の第１閾吐出温度（以降、第１閾吐出温度Ｔｄｈ１と記載する）以上、第１閾吐出温度Ｔｄｈ１より高い所定の第２閾吐出温度（以降、第２閾吐出温度Ｔｄｈ２と記載する）未満であるか否かを判断する（ＳＴ１３）。具体的には、ＣＰＵ２１０が、吐出温度センサ７１で検出した吐出温度Ｔｄを、センサ入力部２４０を介して定期的（例えば、３０秒毎）に取り込み、取り込んだ吐出温度Ｔｄが記憶部２２０に記憶されている第１閾吐出温度Ｔｄｈ１以上第２閾吐出温度Ｔｄｈ２未満であるか否かを判断する。
【００６８】
ここで、第１閾吐出温度Ｔｄｈ１および第２閾吐出温度Ｔｄｈ２は、予め試験などを行って求められて記憶部２２０に記憶されているものであり、前述した圧縮機２１の吐出圧力の使用範囲の上限値に対応する吐出温度Ｔｄより所定温度低い温度とされており、例えば、第１閾吐出温度Ｔｄｈ１が１０５℃、第２閾吐出温度Ｔｄｈ２が１１５℃である。
【００６９】
取り込んだ吐出温度Ｔｄが第１閾吐出温度Ｔｄｈ１以上第２閾吐出温度Ｔｄｈ２未満であれば（ＳＴ１３−Ｙｅｓ）、制御手段は、圧縮機２１の回転数を、圧縮機レリース間隔時間ｔｃ毎に圧縮機レリース回転数Ｒｃｒずつ低下させて（ＳＴ１５）、ＳＴ１１に処理を戻す。尚、ＳＴ１５の処理は前述したＳＴ１６の処理と同じ内容であるため、詳細な説明は省略する。また、ＳＴ１５やＳＴ１６の処理において、圧縮機回転数Ｒｃを圧縮機レリース回転数Ｒｃｒずつ低下させたことによって、圧縮機回転数Ｒｃが使用範囲の下限回転数まで低下した場合は、次にＳＴ１５やＳＴ１６の処理を行う際には圧縮機回転数Ｒｃを下限回転数に維持する。
【００７０】
ＳＴ１３において、取り込んだ吐出温度Ｔｄが第１閾吐出温度Ｔｄｈ１以上第２閾吐出温度Ｔｄｈ２未満でなければ（ＳＴ１３−Ｙｅｓ）、制御手段は、取り込んだ吐出温度Ｔｄが第２閾吐出温度Ｔｄｈ２以上であるか否かを判断する（ＳＴ１４）。具体的には、ＣＰＵ２１０が、取り込んだ吐出温度Ｔｄが第２閾吐出温度Ｔｄｈ２以上であるか否かを判断する。
【００７１】
取り込んだ吐出温度Ｔｄが第２閾吐出温度Ｔｄｈ２以上であれば（ＳＴ１４−Ｙｅｓ）、制御手段は、ＳＴ１９に処理を進める。取り込んだ吐出温度Ｔｄが第２閾吐出温度Ｔｄｈ２以上でなければ（ＳＴ１４−Ｙｅｓ）、つまり、取り込んだ吐出温度Ｔｄが第１閾吐出温度Ｔｄｈ１未満であれば、制御手段は、ＳＴ１１に処理を戻す。
【００７２】
＜室内熱交加熱運転について＞
次に、図５乃至図１１を用いて、本発明の室内熱交加熱運転について説明する。ここで、室内熱交加熱運転とは、空気調和機１の冷媒回路１０を暖房運転時と同じ状態とし、室内熱交換器３１の温度を暖房運転時の温度（４０℃程度）より高くすることで、カビや細菌を殺して数を減少させることを目的に行うものである。尚、本実施形態では、室内機３を操作する図示しないリモコンに、室内熱交加熱運転の開始を指示するボタンが設けられており、使用者がこのボタンを操作すれば室内熱交加熱運転が実行されるものとするが、冷房運転や除湿運転の終了時に自動的に室内熱交加熱運転が実行されてもよい。また、室内熱交加熱運転は、室内機３に人検知センサを備え、使用者が部屋にいないことを人検知センサで検知したときに実行される、というように、空気調和機１で最適なタイミングを判断して室内熱交加熱運転を行ってもよい。
【００７３】
出願人は実験を行うことによって、上述した室内熱交加熱運転を実施する際に、室内熱交温度Ｔｃを５５℃以上に維持する状態を１０分間継続させることによって、カビや細菌の数を大幅に減少させることができることを見出した。以下、図５を用いて、得られた知見について説明する。
【００７４】
図５に示すグラフは、室内熱交換器３１に結露水が存在する状態で室内熱交温度Ｔｃを一定の温度に維持したときの、カビや細菌の数の時間変化を表したものである。図５（Ａ）は、黒っぽく見えるカビ（クロカビ）の一種であるクラドスポリスム（以降、「カビ」と記載する）についてのグラフである。図５（Ａ）のグラフの横軸は、室内熱交温度Ｔｃを４０℃、４５℃、および、５０℃に維持する時間である加熱時間(単位：分)であり、縦軸は加熱時間が０分（加熱前）のときのカビの数（カビのコロニー数）を１００としたカビの残存率（図５（Ａ）ではカビ残存率。単位：％）である。
【００７５】
図５（Ａ）を見ると、室内熱交温度Ｔｃを４０℃にした場合は、加熱時間が１０分となってもほとんどカビの数は変わらず、１０分経過後のカビ残存率がほぼ１００％である。これに対し、室内熱交温度Ｔｃを４５℃あるいは５０℃にした場合は、加熱時間が５分となった時点でいずれの室内熱交温度Ｔｃでもカビ残存率が１０％より小さくなる。特に、室内熱交温度Ｔｃを５０℃にした場合は、加熱時間が５分となった時点でのカビ残存率が１%未満となり、短時間でカビの数を大幅に減少している。
【００７６】
一方、図５（Ｂ）は、細菌の一種である大腸菌についてのグラフである。図５（Ｂ）のグラフの横軸は、室内熱交温度Ｔｃを４０℃、４５℃、５０℃、および、５５℃に維持する時間である加熱時間(単位：分)であり、縦軸は加熱時間が０分（加熱前）のときの大腸菌の数を１００とした大腸菌の残存率（図５（Ｂ）では細菌残存率。単位：％）である。
【００７７】
図５（Ｂ）を見ると、室内熱交温度Ｔｃが５０℃以下の場合は、加熱時間が１０分となっても細菌残存率が５０％以下とならず、細菌の数を顕著に減らせているとはいえない。これに対し、室内熱交温度Ｔｃを５５℃にした場合は、加熱時間が４分となった時点で細菌残存率が１０％より小さくなり、加熱時間が５分となった時点では細菌残存率がほぼ１%となり、さらに加熱時間を１０分まで延ばせば、細菌残存率が１%未満となっている。つまり、室内熱交温度Ｔｃを５５℃に１０分間維持することで、細菌の数を大幅に減らすことができている。
【００７８】
以上説明した図５の各グラフより、室内熱交換器３１に存在するカビや細菌の残存率を大幅に減少させるには、室内熱交換器３１に結露水が存在する状態、例えば、空気調和機１が冷房運転を行っているときに室内熱交換器３１で発生した結露水が冷房運転終了後に残留している状態で、室内熱交温度Ｔｃを５５℃以上とし、かつ、この状態を１０分間継続させることが好ましい。これは、結露水によりカビや細菌の表面全体が覆われていることにより、結露水からカビや細菌に作用する熱量が、結露水がなく室内熱交換器３１の表面のみからカビや細菌に作用する熱量と比べて多くなることに起因する。
【００７９】
また、空気調和機１を冷房運転したときに室内熱交換器３１で発生する結露水は、冷房運転の終了後に室内ファン３２を駆動して室内熱交換器３１に空気を通すことで結露水を蒸発させる乾燥運転を行っても、室内熱交換器３１におけるＶ字形状の折れ曲がり部３０ｎやドレンパン３０ｍ付近の空気が通りにくい箇所は乾燥しきらない。このように、結露水が乾燥しきらずに長時間滞留する箇所であっても、本実施形態の室内熱交加熱運転を行えば、上記のような空気が通りにくい箇所に滞留する結露水が５５℃以上となるので、これらの箇所で繁殖しているカビや細菌残存率を大幅に減少させることができる。
【００８０】
＜室内ファン制御テーブルと室外ファン制御テーブル＞
次に、室内熱交加熱運転を行う際に使用する、室内熱交加熱運転での室内ファン３２の制御と室外ファン２７の制御に使用するテーブルについて、図６を用いて説明する。
＜室内ファン制御テーブル＞
【００８１】
まず、図６（Ａ）に示す室内ファン制御テーブル４００について説明する。この室内ファン制御テーブル４００は、予め試験などを行って求められて、室内機制御手段３００の記憶部３２０に記憶されているものである。室内ファン制御テーブル４００は、室内熱交加熱運転時に室内熱交換器３１が凝縮器として機能しているときに、室内ファン制御テーブル４００に基づいて室内ファン３２を制御することで、室内熱交温度Ｔｃを５５℃〜５７℃の範囲に維持できることが判明しているものである。
【００８２】
室内ファン制御テーブル４００では、室内熱交温度Ｔｃ（単位：℃）と、室内熱交温度Ｔｃの上昇時／維持時／下降時のそれぞれに応じて、室内ファン回転数Ｒｆｉ（単位：ｒｐｍ）が定められている。ここで、室内熱交温度Ｔｃの上昇時（図６（Ａ）では「Ｔｃ上昇時」）とは、時間をおいて検出した２つの室内熱交温度Ｔｃを用い、先に検出した室内熱交温度Ｔｃより後に検出した室内熱交温度Ｔｃが高い場合である。また、室内熱交温度Ｔｃの維持時（図６（Ａ）では「Ｔｃ維持時」）とは、先に検出した室内熱交温度Ｔｃと後に検出した室内熱交温度Ｔｃが同じ場合である。また、室内熱交温度Ｔｃの下降時（図６（Ａ）では「Ｔｃ下降時」）とは、時間をおいて検出した２つの室内熱交温度Ｔｃを用い、先に検出した室内熱交温度Ｔｃより後に検出した室内熱交温度Ｔｃが低い場合である。
【００８３】
具体的には、「Ｔｃ上昇時」の室内ファン回転数Ｒｆｉは、室内熱交温度Ｔｃが５７℃以上である場合は、現在の室内ファン回転数Ｒｆｉに７０ｒｐｍを加算した回転数とされている。室内熱交温度Ｔｃが５５℃以上５７℃未満である場合は、現在の室内ファン回転数Ｒｆｉを変化させないとされている。室内熱交温度Ｔｃが５３℃以上５５℃未満である場合、および、室内熱交温度Ｔｃが５３℃未満である場合は、現在の室内ファン回転数Ｒｆｉから１０ｒｐｍを減算した回転数とされている。
【００８４】
室内熱交温度Ｔｃが上昇しているときに室内熱交温度Ｔｃが５３℃未満である場合、あるいは、室内熱交温度Ｔｃが５３℃以上５５℃未満である場合は、室内熱交温度Ｔｃを検出する度（例えば、３０秒毎）に、室内ファン回転数Ｒｆｉを１０ｒｐｍずつ低くする。これにより、室内熱交換器３１に流れる空気量が少なくなって、室内熱交温度Ｔｃが早く５５℃以上となる。
【００８５】
室内熱交温度Ｔｃが上昇しているときに室内熱交温度Ｔｃが５５℃以上５７℃未満である場合は、室内ファン回転数Ｒｆｉを変化させない。これにより、室内熱交換器３１に流れる空気量が変化せず、室内熱交温度Ｔｃが５５℃以上５７℃未満の範囲に維持される。そして、室内熱交温度Ｔｃが５７℃以上のときは、室内ファン回転数Ｒｆｉを７０ｒｐｍずつ高くして室内熱交換器３１に流れる空気量を多くすることで、室内熱交温度Ｔｃが５９℃以上とならないようにしている。
【００８６】
次に、「Ｔｃ維持時」の室内ファン回転数Ｒｆｉは、室内熱交温度Ｔｃが５７℃以上である場合は、現在の室内ファン回転数Ｒｆｉに５０ｒｐｍを加算した回転数とされている。室内熱交温度Ｔｃが５５℃以上５７℃未満である場合は、現在の室内ファン回転数Ｒｆｉを変化させないとされている。室内熱交温度Ｔｃが５３℃以上５５℃未満である場合は、現在の室内ファン回転数Ｒｆｉから３０ｒｐｍを減算した回転数とされている。室内熱交温度Ｔｃが５３℃未満である場合は、現在の室内ファン回転数Ｒｆｉから４０ｒｐｍを減算した回転数とされている。
【００８７】
室内熱交温度Ｔｃに変化がないときに室内熱交温度Ｔｃが５３℃未満である場合は、室内熱交温度Ｔｃを検出する度（例えば、３０秒毎）に、室内ファン回転数Ｒｆｉを４０ｒｐｍずつ低くする。また、室内熱交温度Ｔｃが５３℃以上５５℃未満である場合は、室内熱交温度Ｔｃを検出する度に、室内ファン回転数Ｒｆｉを３０ｒｐｍずつ低くする。これにより、室内熱交換器３１に流れる空気量が少なくなって、室内熱交温度Ｔｃが早く５５℃以上となる。尚、「Ｔｃ維持時」は、「Ｔｃ上昇時」と比べて室内熱交温度Ｔｃが上がりづらい状態と考えられるので、同じ室内熱交温度Ｔｃであっても「Ｔｃ上昇時」より室内ファン回転数Ｒｆｉが低くなるように、室内ファン回転数Ｒｆｉをから減じる回転数を高くしている。
【００８８】
室内熱交温度Ｔｃに変化がないときに室内熱交温度Ｔｃが５５℃以上５７℃未満である場合は、室内ファン回転数Ｒｆｉを変化させない。これにより、室内熱交換器３１に流れる空気量が変化せず、室内熱交温度Ｔｃが５５℃以上５７℃未満の範囲に維持される。そして、室内熱交温度Ｔｃが５７℃以上のときは、室内ファン回転数Ｒｆｉを５０ｒｐｍずつ高くして室内熱交換器３１に流れる空気量を多くすることで、室内熱交温度Ｔｃが５９℃以上とならないようにしている。尚、「Ｔｃ維持時」は、「Ｔｃ上昇時」と比べて室内熱交温度Ｔｃが上がりづらい状態と考えられるので、同じ室内熱交温度Ｔｃであっても「Ｔｃ上昇時」より室内ファン回転数Ｒｆｉが低くなるように、室内ファン回転数Ｒｆｉに加える回転数を低くしている。
【００８９】
そして、「Ｔｃ下降時」の室内ファン回転数Ｒｆｉは、室内熱交温度Ｔｃが５７℃以上である場合、および、室内熱交温度Ｔｃが５５℃以上５７℃未満である場合は、現在の室内ファン回転数Ｒｆｉを変化させないとされている。室内熱交温度Ｔｃが５３℃以上５５℃未満である場合、および、室内熱交温度Ｔｃが５３℃未満である場合は、現在の室内ファン回転数Ｒｆｉから４０ｒｐｍを減算した回転数とされている。
【００９０】
室内熱交温度Ｔｃが下降しているときに室内熱交温度Ｔｃが５３℃未満である場合、あるいは、室内熱交温度Ｔｃが５３℃以上５５℃未満である場合は、室内熱交温度Ｔｃを検出する度（例えば、３０秒毎）に、室内ファン回転数Ｒｆｉを４０ｒｐｍずつ低くして室内熱交換器３１に流れる空気量を少なくする。これにより、室内熱交換器３１に流れる空気量を少なくなって、室内熱交温度Ｔｃが早く５５℃以上となるようにする。「Ｔｃ下降時」は室内熱交温度Ｔｃが下降している状態なので、同じ室内熱交温度Ｔｃであっても「Ｔｃ維持時」よりさらに室内ファン回転数Ｒｆｉが低くなるように、室内ファン回転数Ｒｆｉから減じる回転数を高くしている。
【００９１】
室内熱交温度Ｔｃが下降しているときに室内熱交温度Ｔｃが５５℃以上５７℃未満である場合、あるいは、室内熱交温度Ｔｃが５７℃以上である場合は、室内ファン回転数Ｒｆｉを変化させない。これにより、室内熱交換器３１に流れる空気量が変化せず、室内熱交温度Ｔｃが５５℃以上５７℃未満の範囲に維持される。尚、「Ｔｃ下降時」は、「Ｔｃ維持時」と比べて室内熱交温度Ｔｃが上がりづらい状態と考えられるので、室内熱交温度Ｔｃが５５℃以上である場合に室内ファン回転数Ｒｆｉを変化させなくても、室内熱交温度Ｔｃが５９℃以上となることはない。
【００９２】
尚、以上説明した室内ファン制御テーブル４００を用いて室内ファン回転数Ｒｆｉを高くあるいは低くする際は、室内ファン回転数Ｒｆｉの上限回転数と下限回転数（後述する室内ファン最低回転数Ｒｆｉｍに相当）の間で、室内ファン回転数Ｒｆｉが高くあるいは低くされる。ここで、上限回転数は例えば９００ｒｐｍであり、下限回転数は例えば３００ｒｐｍである。室内ファン回転数Ｒｆｉを室内ファン制御テーブル４００で定めた回転数ずつ高くして９００ｒｐｍに到達すれば、その後は室内ファン回転数Ｒｆｉを高くする場合であっても、室内ファン回転数Ｒｆｉは９００ｒｐｍに維持される。また、室内ファン回転数Ｒｆｉを室内ファン制御テーブル４００で定めた回転数ずつ低くして３００ｒｐｍに到達すれば、その後室内ファン回転数Ｒｆｉを低くする場合であっても、室内ファン回転数Ｒｆｉは３００ｒｐｍに維持される。
【００９３】
尚、室内熱交加熱運転における上記下限回転数の３００ｒｐｍは、暖房運転時の室内ファン３２の下限回転数（例えば、４２０ｒｐｍ）より低い回転数とされる。これは、室内熱交加熱運転では、可能な限り室内ファン３２の回転数を下げることで室内熱交換器３１に流れる空気量を減らすことで、室内熱交温度Ｔｃが早く上昇するようにするためである。
【００９４】
＜室外ファン制御テーブル＞
次に、図６（Ｂ）に示す室外ファン制御テーブル５００について説明する。この室外ファン制御テーブル５００は、予め試験などを行って求められて、室外機制御手段２００の記憶部２２０に記憶されているものである。室外ファン制御テーブル５００は、室内熱交加熱運転時に室内熱交温度Ｔｃを５５℃〜５７℃に維持するように、室内ファン制御テーブル４００に基づいて室内ファン３２を制御しているときに、室外ファン制御テーブル５００に基づいて室外ファン２７を制御することで、圧縮機２１の吐出圧力が使用範囲の上限値を超えないようにできることが判明しているものである。
【００９５】
室外ファン制御テーブル５００では、外気温度センサ７３で検出する外気温度（単位：℃。以降、外気温度Ｔｏと記載する）と、室内温度Ｔｉ（単位：℃）に応じて、室外ファンの回転数（単位：ｒｐｍ。以降、室外ファン回転数Ｒｆｏと記載する）が定められている。具体的には、外気温度Ｔｏが２４℃以上である場合は、室内温度Ｔｉに関わらず室外ファン回転数Ｒｆｏは０ｒｐｍとされている。また、外気温度Ｔｏが１６℃以上２４℃未満である場合は、室内温度Ｔｉが２７℃以上であれば室外ファン回転数Ｒｆｏは０ｒｐｍとされており、室内温度Ｔｉが２７℃未満であれば室外ファン回転数Ｒｆｏは１９０ｒｐｍとされている。そして、外気温度Ｔｏが１６℃未満である場合は、室外ファン回転数Ｒｆｏは暖房運転時と同じ制御、つまり、圧縮機回転数Ｒｃに応じた回転数とされている。
【００９６】
外気温度Ｔｏが２４℃以上の場合は、外気温度Ｔｏが２４℃未満の場合と比べて室内熱交加熱運転時に蒸発器として機能する室外熱交換器２３における蒸発圧力が高くなる。蒸発圧力が高くなると、凝縮器として機能している室内熱交換器３１における凝縮圧力も高くなるので、圧縮機２１の吐出圧力が高くなって使用範囲の上限値を超える恐れがある。従って、外気温度Ｔｏが２４℃以上の場合は、室内温度Ｔｉに関わらず室外ファン回転数Ｒｆｏを０ｒｐｍ、つまり、停止させることで、室外熱交換器２３における蒸発能力を低下させて蒸発圧力が上昇しないようにする。
【００９７】
外気温度Ｔｏが１６℃以上２４℃未満であり、かつ、室内温度Ｔｉが２７℃以上である場合は、室内温度Ｔｉが２７℃未満である場合と比べて、凝縮器として機能している室内熱交換器３１における凝縮能力が低下して凝縮圧力が高くなる。このとき、室外ファン２７を駆動することで室外熱交換器２３における蒸発能力が上昇して蒸発圧力が上昇すれば、元々高くなっている凝縮圧力がさらに高くなるので、圧縮機２１の吐出圧力も上昇して使用範囲の上限値を超える恐れがある。従って、外気温度Ｔｏが１６℃以上２４℃未満であり、かつ、室内温度Ｔｉが２７℃以上である場合も、室外ファン回転数Ｒｆｏを０ｒｐｍ、つまり、停止させることで、室外熱交換器２３における蒸発能力を低下させて蒸発圧力が上昇しないようにする。
【００９８】
一方、外気温度Ｔｏが１６℃以上２４℃未満であり、かつ、室内温度Ｔｉが２７℃未満である場合は、室内温度Ｔｉが２７℃以上である場合と比べて凝縮圧力が低いので、室外ファン２７を駆動しても圧縮機２１の吐出圧力が使用範囲の上限値を超えにくい。従って、外気温度Ｔｏが１６℃以上２４℃未満であり、かつ、室内温度Ｔｉが２７℃未満である場合は、室外ファン回転数Ｒｆｏを、蒸発圧力の上昇に起因して圧縮機２１の吐出圧力が使用範囲の上限値を超えない程度の回転数、例えば、本実施形態での回転数である１９０ｒｐｍで駆動する。これにより、圧縮機２１の吐出圧力の過昇を防ぎつつ、室外熱交換器２３における蒸発圧力を上昇させて、室内熱交換器３１における凝縮温度つまりは室内熱交温度Ｔｃを早く上昇させる。
【００９９】
尚、上述した、室内熱交加熱運転時に外気温度Ｔｏが１６℃以上２４℃未満であり、かつ、室内温度Ｔｉが２７℃未満である場合の室外ファン回転数Ｒｆｏである１９０ｒｐｍは、暖房運転時の室外ファン２７の下限回転数（例えば、５００ｒｐｍ）より低い回転数とされる。これは、室内熱交加熱運転では、室内熱交温度Ｔｃを暖房運転時より高い温度に上昇させることに起因して圧縮機２１の吐出圧力が使用範囲の上限値を超えやすいことを考慮したものであり、室内熱交加熱運転時に蒸発器として機能する室外熱交換器２３に流れる空気量を暖房運転時より減少させて、室外熱交換器２３における蒸発圧力が上昇することを抑制することで、圧縮機２１の吐出圧力が過昇することを抑制するためである。
【０１００】
外気温度Ｔｏが１６℃未満である場合は、外気温度Ｔｏが１６℃以上である場合と比べて室外ファン２７を駆動しても室外熱交換器２３における蒸発圧力が上昇しにくくなる。従って、外気温度Ｔｏが１６℃未満である場合は、室内温度Ｔｉに関わらず室外ファン回転数Ｒｆｏは暖房運転時と同じ制御、つまり、圧縮機回転数Ｒｃに応じた回転数とする。これにより、室外熱交換器２３における蒸発圧力を上昇させて、室内熱交換器３１における凝縮温度つまりは室内熱交温度Ｔｃを早く上昇させる。
【０１０１】
＜室内熱交加熱運転制御＞
次に、図７乃至図１０を用いて、室内熱交加熱運転に関わる処理の流れについて説明する。図７は、空気調和機１の制御手段が室内熱交加熱運転時に行う処理のメインルーチンである。図８は、制御手段が室内熱交加熱運転時に行う処理のサブルーチンであり、室内熱交換器３１を加熱する前に室内機３の内部での結露水発生の抑制を目的に行われる加熱前運転制御に関わる処理の流れを示す。
【０１０２】
図９は、制御手段が室内熱交加熱運転時に行う処理のサブルーチンであり、図６（Ａ）に示す室内ファン制御テーブル４００を用いて、室内熱交温度Ｔｃを５５℃〜５７℃の範囲に維持することを目的に行われる温度維持時室内ファン制御に関わる処理の流れを示す。図１０は、制御手段が室内熱交加熱運転時に行う処理のサブルーチンであり、図６（Ｂ）に示す室外ファン制御テーブル５００を用いて、室内熱交温度Ｔｃを５５℃〜５７℃の範囲に維持する際に行われる温度維持時室外ファン制御に関わる処理の流れを示す。
【０１０３】
図７乃至図１０の各フローチャートにおいて、ＳＴは処理のステップを表し、これに続く数字はステップ番号を表している。また、図７および図９に記載のあるＴｃ１〜Ｔｃ４（以降、第１室内熱交温度Ｔｃ１〜第４室内熱交温度Ｔｃ４と記載する）は、第２室内熱交温度Ｔｃ２〜第４室内熱交温度Ｔｃ４室内ファン制御テーブル４００に記載の室内熱交温度Ｔｃに対応しており、第２室内熱交温度Ｔｃ２が５３℃、第３室内熱交温度Ｔｃ３が５５℃、第４室内熱交温度Ｔｃ４が５７℃である。また、第１室内熱交温度Ｔｃ１は、後述する温度維持運転を開始する時間であり、第２室内熱交温度Ｔｃ２より所定温度低い温度、例えば、が５０℃である。尚、第３室内熱交温度Ｔｃ３が本発明の第１温度であり、第４室内熱交温度Ｔｃ４が本発明の第２温度であり、第１室内熱交温度Ｔｃ１が本発明の第３温度である。
【０１０４】
＜メインルーチン：室内熱交加熱運転制御＞
まず、図７を用いて、室内熱交加熱運転制御に関わる処理について説明する。使用者から室内熱交加熱運転の実行指示を受けた、あるいは、空気調和機１が冷房運転を終了すれば、制御手段はまず、室内熱交加熱運転制御のサブルーチンである加熱前運転制御を実行する（ＳＴ４１）。加熱前運転制御については後述する。
【０１０５】
次に、制御手段は、圧縮機２１を所定の最低回転数（以降、圧縮機最低回転数Ｒｃｍと記載する）で駆動する（ＳＴ４２）。具体的には、室外機制御手段２００のＣＰＵ２１０が、記憶部２２０に予め記憶されている圧縮機最低回転数Ｒｃｍを読み出し、読み出した圧縮機最低回転数Ｒｃｍで圧縮機２１を駆動する。ここで、圧縮機最低回転数Ｒｃｍは、予め試験などを行って求められているものであり、室内熱交加熱運転で室内熱交温度Ｔｃを通常の暖房運転時より高い温度とする状況でも、圧縮機２１の吐出圧力が使用範囲の上限値を超えないことが判明している回転数である。尚、圧縮機最低回転数Ｒｃｍは、例えば３０ｒｐｓである。
【０１０６】
次に、制御手段は、膨張弁２４を所定の開度（以降、所定膨張弁開度Ｄｐと記載する）とする（ＳＴ４３）。具体的には、室外機制御手段２００のＣＰＵ２１０が、記憶部２２０に予め記憶されている所定膨張弁開度Ｄｐを読み出し、膨張弁開度Ｄが読み出した所定膨張弁開度Ｄｐとなるように、膨張弁２４の図示しないステップモータに所定膨張弁開度Ｄｐに応じた駆動パルスを加える。ここで、所定膨張弁開度Ｄｐは、予め試験などを行って求められているものであり、空気調和機１で本発明の室内熱交加熱運転を行うときに、室内ファン３２の制御のみで室内熱交温度Ｔｃを５５℃以上５７℃未満の範囲の温度とするのに必要な量の冷媒を、室内熱交換器３１に流せる開度である。尚、所定膨張弁開度Ｄｐは、例えば膨張弁２４に加える駆動パルス数で表すと２００パルスである。
【０１０７】
次に、制御手段は、室外ファン回転数Ｒｆｏを圧縮機回転数Ｒｃに応じた回転数とする（ＳＴ４４）。具体的には、ＣＰＵ２１０が、圧縮機回転数Ｒｃに応じた室外ファン回転数Ｒｆｏで室外ファン２７を駆動する。尚、ＳＴ４３の処理を行う時点では、後述する加熱前運転制御で室外ファン２７は既に駆動しているので、ＳＴ４３では室外ファン回転数Ｒｆｏを圧縮機回転数Ｒｃに応じた回転数に変更することになり、このときの室外ファン回転数Ｒｆｏは、例えば５００ｒｐｍである。
【０１０８】
次に、制御手段は、室内ファン３２を所定の回転数（以降、室内ファン初期回転数Ｒｆｉｐと記載する）とする（ＳＴ４５）。具体的には、室内機制御手段３００のＣＰＵ３１０が、記憶部３２０に予め記憶されている室内ファン初期回転数Ｒｆｉｐを読み出し、室内ファン回転数Ｒｆｉを読み出した室内ファン初期回転数Ｒｆｉｐとして室内ファン３２を駆動する。ここで、室内ファン初期回転数Ｒｆｉｐは、予め試験などを行って求められているものであり、室内ファン３２の回転により室内熱交換器３１に供給される室内空気の量が少ないことに起因して室内熱交温度Ｔｃが急激に上昇し、後述する室内熱交加熱運転時保護制御により保護停止となることを防ぎつつ、できる限り早く室内熱交温度Ｔｃを上昇させることができる回転数である。尚、室内ファン初期回転数Ｒｆｉｐは、例えば６００ｒｐｍである。また、ＳＴ４４の処理を行う時点では、後述する加熱前運転制御で室内ファン３２は既に駆動しているので、ＳＴ４４では室内ファン回転数Ｒｆｉを室内ファン初期回転数Ｒｆｉｐに変更することになる。
【０１０９】
次に、制御手段は、上下風向板３５を水平位置とする（ＳＴ４６）。具体的には、ＣＰＵ３１０が、上下風向板３５を水平位置となるように回動させる。上下風向板３５が水平位置となれば、室内熱交換器３１で暖められて吹出口３０ｇから吹き出される空気の一部を、吸込口３０ｆに吸い込ませることができる。従って、上下風向板３５が水平位置以外の位置とされている場合と比べて、室内熱交温度Ｔｃが早く上昇する。
【０１１０】
次に、制御手段は、タイマー１の計測を開始する（ＳＴ４７）。具体的には、ＣＰＵ３１０はタイマー計測機能を有しており、ＣＰＵ３１０が、タイマー１の計測を開始する。尚、タイマー計測機能はＣＰＵ２１０に設けられていてもよく、また、ＣＰＵ２１０やＣＰＵ３１０以外に設けられてもよい。次に、制御手段は、室内熱交温度Ｔｃを取り込む（ＳＴ４８）。具体的には、ＣＰＵ３１０は、室内熱交温度センサ７４で検出した室内熱交温度Ｔｃを、センサ入力部３４０を介して定期的（例えば、３０秒毎）に取り込む。
【０１１１】
次に、制御手段は、ＳＴ４８で取り込んだ室内熱交温度Ｔｃが第１室内熱交温度Ｔｃ１未満であるか否かを判断する（ＳＴ４９）。具体的には、ＣＰＵ３１０が、記憶部３２０から第１室内熱交温度Ｔｃ１を読み出して、取り込んだ室内熱交温度Ｔｃと比較する。
【０１１２】
取り込んだ室内熱交温度Ｔｃが第１室内熱交温度Ｔｃ１未満であれば（ＳＴ４９−Ｙｅｓ）、制御手段は、ＳＴ４７でタイマー１の計測を開始してから所定時間（以降、第１所定時間ｔｐ１と記載する）が経過したか否かを判断する（ＳＴ５８）。具体的には、ＣＰＵ３１０が、ＳＴ４７でタイマー１の計測を開始してから第１所定時間ｔｐ１が経過したか否かを判断する。ここで、第１所定時間ｔｐ１は予め定められて記憶部３３０に記憶されているものであり、例えば１０分間である。
【０１１３】
第１所定時間ｔｐ１が経過していれば（ＳＴ５８−Ｙｅｓ）、制御手段は、タイマー１をリセットして（ＳＴ６１）、室内機熱交加熱運転制御を終了する。具体的には、ＣＰＵ３１０が、タイマー１をリセットするとともに室内ファン３１を停止し、また、室内機熱交加熱運転制御を終了する旨を含む信号を、通信部３３０を介して室外機２に送信する。この信号を通信部２３０を介して受信したＣＰＵ２１０は、圧縮機２１と室外ファン２７を停止する。
【０１１４】
第１所定時間ｔｐ１が経過していなければ（ＳＴ５８−Ｎｏ）、制御手段は、現在の室内ファン回転数Ｒｆｉが所定の最低回転数（以降、室内ファン最低回転数Ｒｆｉｍと記載する）であるか否かを判断する（ＳＴ５９）。具体的には、ＣＰＵ３１０が、記憶部３２０に予め記憶されている室内ファン最低回転数Ｒｆｉｍを読み出して、現在の室内ファン回転数Ｒｆｉと比較する。ここで、室内ファン最低回転数Ｒｆｉｍは、室内ファン３２の使用範囲の下限回転数であり、例えば３００ｒｐｍである。
【０１１５】
現在の室内ファン回転数Ｒｆｉが室内ファン最低回転数Ｒｆｉｍであれば（ＳＴ５９−Ｙｅｓ）、制御手段は、この室内ファン最低回転数Ｒｆｉｍを維持する（ＳＴ６０）、つまり、室内ファン３２を室内ファン最低回転数Ｒｆｉｍで駆動し続けて、ＳＴ４８に処理を戻す。具体的には、ＣＰＵ３１０が、室内ファン３２を室内ファン最低回転数Ｒｆｉｍで駆動し続ける。
【０１１６】
一方、現在の室内ファン回転数Ｒｆｉが室内ファン最低回転数Ｒｆｉｍでなければ（ＳＴ５９−Ｎｏ）、制御手段は、室内ファン回転数Ｒｆｉを、所定の室内ファンレリース間隔時間（以降、室内ファンレリース間隔時間ｔｆｉと記載する）毎に所定の室内ファンレリース回転数（以降、室内ファンレリース回転数Ｒｆｉｒと記載する）だけ低下させて（ＳＴ６２）、ＳＴ４８に処理を戻す。具体的には、ＣＰＵ３１０が、室内ファン回転数Ｒｆｉを室内ファンレリース間隔時間ｔｆｉ毎に室内ファンレリース回転数Ｒｆｉｒだけ低下させる。尚、室内ファンレリース間隔時間ｔｆｉおよび室内ファンレリース回転数Ｒｆｉｒは、予め試験などを行って定められたものであり、室内熱交温度Ｔｃが急激に上昇して後述する室内熱交加熱運転時保護制御により保護停止となることを抑制しつつ、室内熱交温度Ｔｃを上昇させることが確認できているものである。室内ファンレリース間隔時間ｔｆｉは、例えば、６０秒であり、室内ファンレリース回転数Ｒｆｉｒは、例えば５０ｒｐｍである。
【０１１７】
以上説明したＳＴ４７〜ＳＴ４９、および、ＳＴ５８〜ＳＴ６２の処理が、室内機熱交加熱運転における室内熱交温度Ｔｃを第１室内熱交温度Ｔｃ１まで昇温させるための運転（以降、昇温運転と記載する）に関わる処理である。昇温運転を行うことで、後述する室内熱交加熱運転時保護制御により保護停止となることを防ぎつつ、できる限り早く室内熱交温度Ｔｃを第１室内温度Ｔｃ１（本実施形態では、５０℃）まで上昇させることができる。
【０１１８】
尚、ＳＴ５８の処理において、第１所定時間ｔｐ１が経過しても室内熱交温度Ｔｃが第１室内熱交温度Ｔｃ１以上とならない場合に、室内熱交加熱運転を終了している。これは、上述した昇温運転を第１所定時間ｔｐ１行っても室内熱交温度Ｔｃが第１室内熱交温度Ｔｃ１以上とならないときは、何らかの原因で室内熱交温度Ｔｃが上昇しにくい状態であり、このまま室内熱交加熱運転を継続した結果無駄な運転となることを回避するためである。
【０１１９】
ＳＴ４９において、取り込んだ室内熱交温度Ｔｃが第１室内熱交温度Ｔｃ１未満でなければ（ＳＴ４９−Ｎｏ）、制御手段は、タイマー２の計測を開始する（ＳＴ５０）。具体的には、ＣＰＵ３１０がタイマー２の計測を開始する。
【０１２０】
次に、制御手段は、室内熱交加熱運転制御のサブルーチンである温度維持時室内ファン制御を実行する（ＳＴ５１）とともに、室内熱交加熱運転制御のサブルーチンである温度維持時室外ファン制御を実行する（ＳＴ５２）。温度維持時室内ファン制御および温度維持時室外ファン制御については、後述する。
【０１２１】
次に、制御手段は、フラグが１であるか否かを判断する（ＳＴ５３）。このフラグは、例えばＣＰＵ３１０が有しており、室内熱交加熱運転において室内熱交温度Ｔｃが上昇して初めて第３室内熱交温度Ｔｃ３（本実施形態では、５５℃）以上となったときに、０から１へと変更されるものである。尚、フラグは、デフォルト（工場出荷時）では０とされている。
【０１２２】
フラグが１であれば（ＳＴ５３−Ｙｅｓ）、つまり、すでに室内熱交温度Ｔｃが第３室内熱交温度Ｔｃ３になっていれば、制御手段は、タイマー１をリセットして（ＳＴ６３）、ＳＴ５６に処理を進める。具体的には、ＣＰＵ３１０が、フラグを確認して１であれば、タイマー１をリセットする。
【０１２３】
フラグが１でなければ（ＳＴ５３−Ｎｏ）、つまり、室内熱交温度Ｔｃがまだ第３室内熱交温度Ｔｃ３になっていなければ、制御手段は、ＳＴ４８で取り込んだ室内熱交温度Ｔｃが第３室内熱交温度Ｔｃ３以上となったか否かを判断する（ＳＴ５４）。具体的には、ＣＰＵ３１０が、記憶部３２０から第３室内熱交温度Ｔｃ３を読み出して、取り込んだ室内熱交温度Ｔｃと比較する。
【０１２４】
取り込んだ室内熱交温度Ｔｃが第３室内熱交温度Ｔｃ３以上となっていれば（ＳＴ５４−Ｙｅｓ）、制御手段は、フラグを１とするとともにタイマー１をリセットして（ＳＴ５５）、ＳＴ５６に処理を進める。具体的には、ＣＰＵ３１０が、フラグを１とするとともにタイマー１をリセットする。
【０１２５】
取り込んだ室内熱交温度Ｔｃが第３室内熱交温度Ｔｃ３以上となっていなければ（ＳＴ５４−Ｎｏ）、制御手段は、ＳＴ４７でタイマー１の計測を開始してから第１所定時間ｔｐ１が経過したか否かを判断する（ＳＴ６４）。尚、ＳＴ６３の処理は、ＳＴ５８の処理と同様に、ＣＰＵ３１０が行う。
【０１２６】
第１所定時間ｔｐ１が経過していれば（ＳＴ６４−Ｙｅｓ）、制御手段は、タイマー１をリセットして（ＳＴ６５）、室内機熱交加熱運転制御を終了する。尚、ＳＴ６５の処理は、ＳＴ６１の処理と同様に、ＣＰＵ３１０が行う。第１所定時間ｔｐ１が経過していなければ（ＳＴ６４−Ｎｏ）、制御手段は、ＳＴ５３に処理を戻す。
【０１２７】
尚、ＳＴ６４の処理において、第１所定時間ｔｐ１が経過しても室内熱交温度Ｔｃが第３室内熱交温度Ｔｃ３以上とならない場合に、室内熱交加熱運転を終了する。これは、上述した昇温運転および後述する温度維持運転を第１所定時間ｔｐ１行っても室内熱交温度Ｔｃが第３室内熱交温度Ｔｃ３以上とならないときは、何らかの原因で室内熱交温度Ｔｃが上昇しにくい状態であり、このまま室内熱交加熱運転を継続した結果無駄な運転となることを回避するためである。
【０１２８】
ＳＴ５５の処理を終えた制御手段は、ＳＴ５０でタイマー２の計測を開始してから所定時間（以降、第２所定時間ｔｐ２と記載する）が経過したか否かを判断する（ＳＴ５６）。具体的には、ＣＰＵ３１０が、ＳＴ５０でタイマー２の計測を開始してから第２所定時間ｔｐ２が経過したか否かを判断する。ここで、第２所定時間ｔｐ２は、予め定められて記憶部３３０に記憶されているものであり、前述した室内熱交換器３１に存在するカビや細菌の数を大幅に減少させるために、室内熱交温度Ｔｃを５５℃以上に維持する時間であり、例えば１０分間である。
【０１２９】
第２所定時間ｔｐ２が経過していなければ（ＳＴ５６−Ｎｏ）、制御手段は、ＳＴ５１に処理を戻す。第２所定時間ｔｐ２が経過していれば（ＳＴ５６−Ｙｅｓ）、制御手段は、タイマー２をリセットするとともにフラグをリセットして（ＳＴ５７）、室内機熱交加熱運転制御を終了する。具体的には、ＣＰＵ３１０が、タイマー２をリセットするとともにフラグをリセットする。また、ＣＰＵ３１０が、室内ファン３１を停止するとともに、室内機熱交加熱運転制御を終了する旨を含む信号を、通信部３３０を介して室外機２に送信する。この信号を通信部２３０を介して受信したＣＰＵ２１０は、圧縮機２１と室外ファン２７を停止する。
【０１３０】
以上説明したＳＴ５０〜ＳＴ５６、および、ＳＴ６３〜ＳＴ６５までの処理が、室内熱交温度Ｔｃを第２所定時間ｔｐ２の間、第３室内熱交温度Ｔｃ３（本実施形態では、５５℃）以上に維持する運転（以降、温度維持運転と記載する）に関わる処理である。温度維持運転を第２所定時間ｔｐ２の間継続することにより、室内熱交温度Ｔｃが４０℃程度となる従来の乾燥運転を行った場合と比べて、室内熱交換器３１に存在するカビや細菌の数を大幅に減少させることができる。
【０１３１】
＜サブルーチン：加熱前運転制御＞
次に、図８を用いて、室内熱交加熱運転制御のサブルーチンである加熱前運転制御について説明する。尚、加熱前運転制御では、圧縮機２１は停止しており、冷媒回路１０には冷媒が循環していない。
【０１３２】
まず、制御手段は、室内熱交加熱運転前に冷房運転を行っていたか否かを判断する（ＳＴ７１）。冷房運転を行っていなければ（ＳＴ７１−Ｎｏ）、制御手段は、加熱前運転制御を終了する。冷房運転を行っていれば（ＳＴ７１−Ｙｅｓ）、制御手段は、タイマー３の計測を開始する（ＳＴ７２）。具体的には、ＣＰＵ３１０が、タイマー３の計測を開始する。
【０１３３】
次に、制御手段は、室内ファン回転数Ｒｆｉを所定の回転数（以降、加熱前室内ファン回転数Ｒｆｉａと記載する）として室内ファン３２を駆動する（ＳＴ７３）。具体的には、ＣＰＵ３１０が、室内ファン回転数Ｒｆｉを加熱前室内ファン回転数Ｒｆｉａとして室内ファン３２を駆動する。ここで、加熱前室内ファン回転数Ｒｆｉａは、予め試験などを行って求められているものであり、後述する第３所定時間ｔｐ３の間に、室内機３の内部に室内空気を通過させて冷房運転中に冷却された室内機３を暖めることで、昇温運転の際に室内機３の温度と室内熱交温度Ｔｃの温度差に起因した結露水が発生することを抑制できる回転数である。加熱前室内ファン回転数Ｒｆｉａは、例えば９００ｒｐｍである。
【０１３４】
次に、制御手段は、室外ファン回転数Ｒｆｏを所定の回転数（以降、加熱前室外ファン回転数Ｒｆｏａと記載する）として室外ファン２７を駆動する（ＳＴ７４）。具体的には、ＣＰＵ２１０が、室外ファン回転数Ｒｆｏを加熱前室外ファン回転数Ｒｆｏａとして室外ファン２７を駆動する。ここで、加熱前室外ファン回転数Ｒｆｏａは、予め試験などを行って求められているものであり、後述する第３所定時間ｔｐ３の間に、冷房運転中に発熱した室外機制御手段２００（特に、圧縮機２１を駆動する図示しないインバータ部）を冷却することで、室内熱交加熱運転を行っているときに室外機制御手段２００の温度が過昇することを抑制できる回転数である。加熱前室外ファン回転数Ｒｆｏａは、例えば６５０ｒｐｍである。
【０１３５】
次に、制御手段は、ＳＴ７２でタイマー３の計測を開始してから所定時間（以降、第３所定時間ｔｐ３と記載する）が経過したか否かを判断する（ＳＴ７５）。具体的には、ＣＰＵ３１０が、ＳＴ７５でタイマー３の計測を開始してから第３所定時間ｔｐ３が経過したか否かを判断する。ここで、第３所定時間ｔｐ３は、予め定められて記憶部３３０に記憶されているものであり、室内ファン回転数Ｒｆｉを加熱前室内ファン回転数Ｒｆｉａ、および、室外ファン回転数Ｒｆｏを加熱前室外ファン回転数Ｒｆｏａとして第３所定時間ｔｐ３の間それぞれを駆動すれば、冷房運転中に冷却された室内機３を昇温運転時に結露水が発生しない程度に暖めることができること、および、冷房運転中に発熱した室外機制御手段２００を冷却できる時間である。第３所定時間ｔｐ３は、例えば１５分間である。
【０１３６】
第３所定時間ｔｐ３が経過していなければ（ＳＴ７５−Ｎｏ）、制御手段は、ＳＴ７５に処理を戻す。第３所定時間ｔｐ３が経過していれば（ＳＴ７５−Ｙｅｓ）、制御手段は、タイマー３をリセットして（ＳＴ７６）、加熱前運転制御を終了してメインルーチンに戻る。
【０１３７】
以上説明したように、室内熱交加熱運転前に冷房運転を行っているときに、昇温運転に先駆けて加熱前運転制御を行うことで、冷房運転時に冷却された室内機３の筐体３０を暖めることができる。これにより、昇温運転時に、室内機３の温度と室内熱交温度Ｔｃの温度差に起因した筐体３０での結露水の発生を抑制できるので、室内熱交加熱運転を行っているときに室内機３の吹出口３０ｇから室内に結露水が飛散することを防止できる。また、加熱前運転制御で室外ファン２７を駆動することで、外気温度が高い冷房運転時に高い温度となっている室外機制御手段２００を冷却できる。
【０１３８】
＜サブルーチン：温度維持時室内ファン制御＞
次に、図９を用いて、室内熱交加熱運転制御のサブルーチンである温度維持時室内ファン制御について説明する。尚、室内ファン３２の駆動制御は室内機制御手段３００のみが行うため、以下の説明では、制御主体を室内機制御手段３００のＣＰＵ３１０として説明する。
【０１３９】
まず、ＣＰＵ３１０は、室内熱交温度Ｔｃを取り込む（ＳＴ８０）。尚、室内熱交温度Ｔｃの取り込みについては、図４を用いて説明した暖房運転時保護制御におけるＳＴ１１と同様の方法で取り込むため、説明は省略する。次に、ＣＰＵ３１０は、時間をおいて取り込んだ２つの室内熱交温度Ｔｃを用い、直近に取り込んだ室内熱交温度Ｔｃから１つ前（例えば、３０秒前）に取り込んだ室内熱交温度Ｔｃを減じた温度差（以降、室内熱交温度差ΔＴｃと記載する）を算出する（ＳＴ８１）。
【０１４０】
次に、ＣＰＵ３１０は、ＳＴ８１で算出した室内熱交温度差ΔＴｃが０超であるか否か、つまり、室内熱交温度Ｔｃが上昇しているか否かを判断する（ＳＴ８２）。室内熱交温度差ΔＴｃが０超であれば（ＳＴ８２−Ｙｅｓ）、ＣＰＵ３１０は、記憶部３２０に記憶している図６の室内ファン回転数テーブル４００の「Ｔｃ上昇時」を参照して、以下のＳＴ８３〜ＳＴ８５の処理を行う。
【０１４１】
まず、ＣＰＵ３１０は、現在の室内熱交温度Ｔｃが第３室内熱交温度Ｔｃ３未満であるか否かを判断する（ＳＴ８３）。現在の室内熱交温度Ｔｃが第３室内熱交温度Ｔｃ３未満であれば（ＳＴ８３−Ｙｅｓ）、ＣＰＵ３１０は、室内ファン回転数Ｒｆｉを現在の室内ファン回転数Ｒｆｉから１０ｒｐｍを減じた回転数として（ＳＴ８６）、温度維持時室内ファン制御を終了してメインルーチンに戻る。
【０１４２】
現在の室内熱交温度Ｔｃが第３室内熱交温度Ｔｃ３未満でなければ（ＳＴ８３−Ｎｏ）、ＣＰＵ３１０は、現在の室内熱交温度Ｔｃが第３室内熱交温度Ｔｃ３以上第４室内熱交温度Ｔｃ４未満であるか否かを判断する（ＳＴ８４）。現在の室内熱交温度Ｔｃが第３室内熱交温度Ｔｃ３以上第４室内熱交温度Ｔｃ４未満であれば（ＳＴ８４−Ｙｅｓ）、ＣＰＵ３１０は、室内ファン回転数Ｒｆｉを変化させずに（ＳＴ８７）、温度維持時室内ファン制御を終了してメインルーチンに戻る。
【０１４３】
現在の室内熱交温度Ｔｃが第３室内熱交温度Ｔｃ３以上第４室内熱交温度Ｔｃ４未満でなければ（ＳＴ８４−Ｎｏ）、つまり、現在の室内熱交温度Ｔｃが第４室内熱交温度Ｔｃ４以上であれば、ＣＰＵ３１０は、室内ファン回転数Ｒｆｉを現在の室内ファン回転数Ｒｆｉに７０ｒｐｍを加えた回転数として（ＳＴ８５）、温度維持時室内ファン制御を終了してメインルーチンに戻る。
【０１４４】
ＳＴ８２において、室内熱交温度差ΔＴｃが０超でなければ（ＳＴ８２−Ｎｏ）、ＣＰＵ３１０は、
ＳＴ８１で算出した室内熱交温度差ΔＴｃが０である、つまり、室内熱交温度Ｔｃが変化していないか否かを判断する（ＳＴ８８）。室内熱交温度差ΔＴｃが０であれば（ＳＴ８８−Ｙｅｓ）、ＣＰＵ３１０は、記憶部３２０に記憶している図６の室内ファン回転数テーブル４００の「Ｔｃ維持時」を参照して、以下のＳＴ８９〜ＳＴ９５の処理を行う。
【０１４５】
まず、ＣＰＵ３１０は、現在の室内熱交温度Ｔｃが第２室内熱交温度Ｔｃ２未満であるか否かを判断する（ＳＴ８９）。現在の室内熱交温度Ｔｃが第２室内熱交温度Ｔｃ２未満であれば（ＳＴ８９−Ｙｅｓ）、ＣＰＵ３１０は、室内ファン回転数Ｒｆｉを現在の室内ファン回転数Ｒｆｉから４０ｒｐｍを減じた回転数として（ＳＴ９３）、温度維持時室内ファン制御を終了してメインルーチンに戻る。
【０１４６】
現在の室内熱交温度Ｔｃが第２室内熱交温度Ｔｃ２未満でなければ（ＳＴ８９−Ｎｏ）、ＣＰＵ３１０は、現在の室内熱交温度Ｔｃが第２室内熱交温度Ｔｃ２以上第３室内熱交温度Ｔｃ３未満であるか否かを判断する（ＳＴ９０）。現在の室内熱交温度Ｔｃが第２室内熱交温度Ｔｃ２以上第３室内熱交温度Ｔｃ３未満であれば（ＳＴ９０−Ｙｅｓ）、ＣＰＵ３１０は、室内ファン回転数Ｒｆｉを現在の室内ファン回転数Ｒｆｉから３０ｒｐｍを減じた回転数として（ＳＴ９４）、温度維持時室内ファン制御を終了してメインルーチンに戻る。
【０１４７】
現在の室内熱交温度Ｔｃが第２室内熱交温度Ｔｃ２以上第３室内熱交温度Ｔｃ３未満でなければ（ＳＴ９０−Ｎｏ）、ＣＰＵ３１０は、現在の室内熱交温度Ｔｃが第３室内熱交温度Ｔｃ３以上第４室内熱交温度Ｔｃ４未満であるか否かを判断する（ＳＴ９１）。現在の室内熱交温度Ｔｃが第３室内熱交温度Ｔｃ３以上第４室内熱交温度Ｔｃ４未満であれば（ＳＴ９１−Ｙｅｓ）、ＣＰＵ３１０は、室内ファン回転数Ｒｆｉを変化させずに（ＳＴ９５）、温度維持時室内ファン制御を終了してメインルーチンに戻る。
【０１４８】
現在の室内熱交温度Ｔｃが第３室内熱交温度Ｔｃ３以上第４室内熱交温度Ｔｃ４未満でなければ（ＳＴ９３−Ｎｏ）、つまり、現在の室内熱交温度Ｔｃが第４室内熱交温度Ｔｃ４以上であれば、ＣＰＵ３１０は、室内ファン回転数Ｒｆｉを現在の室内ファン回転数Ｒｆｉに５０ｒｐｍを加えた回転数として（ＳＴ９８）、温度維持時室内ファン制御を終了してメインルーチンに戻る。
【０１４９】
ＳＴ８８において、室内熱交温度差ΔＴｃが０でなければ（ＳＴ８８−Ｎｏ）、つまり、室内熱交温度Ｔｃが低下しているのであれば、ＣＰＵ３１０は、記憶部３２０に記憶している図６の室内ファン回転数テーブル４００の「Ｔｃ下降時」を参照して、以下のＳＴ９６〜ＳＴ９８の処理を行う。
【０１５０】
まず、ＣＰＵ３１０は、現在の室内熱交温度Ｔｃが第３室内熱交温度Ｔｃ３未満であるか否かを判断する（ＳＴ９６）。現在の室内熱交温度Ｔｃが第３室内熱交温度Ｔｃ３未満であれば（ＳＴ９６−Ｙｅｓ）、ＣＰＵ３１０は、室内ファン回転数Ｒｆｉを現在の室内ファン回転数Ｒｆｉから４０ｒｐｍを減じた回転数として（ＳＴ９８）、温度維持時室内ファン制御を終了してメインルーチンに戻る。
【０１５１】
現在の室内熱交温度Ｔｃが第３室内熱交温度Ｔｃ３未満でなければ（ＳＴ９６−Ｎｏ）、つまり、現在の室内熱交温度Ｔｃが第３室内熱交温度Ｔｃ３以上であれば、ＣＰＵ３１０は、室内ファン回転数Ｒｆｉを変化させずに（ＳＴ９７）、温度維持時室内ファン制御を終了してメインルーチンに戻る。
【０１５２】
尚、前述したように、室内ファン制御テーブル４００を用いて温度維持時室内ファン制御を行う際は、室内ファン回転数Ｒｆｉの上限回転数と下限回転数（９００ｒｐｍと３００ｒｐｍ）の間で、室内ファン回転数Ｒｆｉが設定される。室内ファン回転数Ｒｆｉを室内ファン制御テーブル４００で定めた回転数ずつ高くして９００ｒｐｍに到達すれば、その後室内ファン回転数Ｒｆｉを高くする場合であっても、室内ファン回転数Ｒｆｉは９００ｒｐｍに維持される。また、室内ファン回転数Ｒｆｉを室内ファン制御テーブル４００で定めた回転数ずつ低くして３００ｒｐｍに到達すれば、その後室内ファン回転数Ｒｆｉを低くする場合であっても、室内ファン回転数Ｒｆｉは３００ｒｐｍに維持される。
【０１５３】
以上説明したように、室内熱交加熱運転時に行われる温度維持運転中に、室内ファン制御テーブル４００を用いて温度維持時室内ファン制御を行うことによって、室内熱交温度Ｔｃを第３室内熱交温度Ｔｃ３（＝５５℃）と第４室内熱交温度Ｔｃ４（＝５７℃）の間に１０分間維持することができる。
【０１５４】
＜サブルーチン：温度維持時室外ファン制御＞
次に、室内熱交加熱運転制御のサブルーチンである温度維持時室外ファン制御について説明する。尚、室外ファン２７の駆動制御は室外機制御手段２００のみが行うため、以下の説明では、制御主体を室外機制御手段２００のＣＰＵ２１０として説明する。
【０１５５】
まず、ＣＰＵ２１０は、室内温度Ｔｉを、通信２３０を介して室内機３から取り込むとともに、外気温度センサ７３で検出した外気温度Ｔｏを、センサ入力部２４０を介して取り込む（ＳＴ１１１）。尚、ＣＰＵ２１０は、室内温度Ｔｉと外気温度Ｔｏを定期的（例えば、３０秒毎）に取り込む。
【０１５６】
次に、ＣＰＵ２１０は、ＳＴ１１１で取り込んだ外気温度Ｔｏが、所定の第１外気温度（以降、第１閾外気温度Ｔｏｐ１と記載する）未満であるか否かを判断する（ＳＴ１１２）。例えば、第１閾外気温度Ｔｏｐ１は、図６（Ｂ）の室外ファン制御テーブル５００に定められている外気温度：１６℃である。
【０１５７】
取り込んだ外気温度Ｔｏが第１閾外気温度Ｔｏｐ１未満であれば（ＳＴ１１２−Ｙｅｓ）、ＣＰＵ２１０は、記憶部２２０に記憶されている室外ファン制御テーブル５００を参照して、室外ファン２７を圧縮機回転数Ｒｃに応じた室外ファン回転数Ｒｆｏで駆動して（ＳＴ１１７）、温度維持時室外ファン制御を終了してメインルーチンに戻る。
【０１５８】
取り込んだ外気温度Ｔｏが第１閾外気温度Ｔｏｐ１未満でなければ（ＳＴ１１２−Ｎｏ）、ＣＰＵ２１０は、取り込んだ外気温度Ｔｏが第１閾外気温度Ｔｏｐ１以上、所定の第２外気温度（以降、第２閾外気温度Ｔｏｐ２と記載する）未満であるか否かを判断する（ＳＴ１１３）。第２閾外気温度Ｔｏｐ２は第１閾外気温度Ｔｏｐ１より高い温度であり、例えば、図６（Ｂ）の室外ファン制御テーブル５００に定められている外気温度：２４℃である。
【０１５９】
取り込んだ外気温度Ｔｏが第１閾外気温度Ｔｏｐ１以上第２閾外気温度Ｔｏｐ２未満でなければ（ＳＴ１１３−Ｎｏ）、つまり、取り込んだ外気温度Ｔｏが第２閾外気温度Ｔｏｐ２以上であれば、ＣＰＵ２１０は、記憶部２２０に記憶されている室外ファン制御テーブル５００を参照して、室外ファン回転数Ｒｆｏを０ｒｐｍとする（ＳＴ１１８）、つまり、室外ファン２７を停止して、温度維持時室外ファン制御を終了してメインルーチンに戻る。
【０１６０】
取り込んだ外気温度Ｔｏが第１閾外気温度Ｔｏｐ１以上第２閾外気温度Ｔｏｐ２未満であれば（ＳＴ１１３−Ｙｅｓ）、ＣＰＵ２１０は、ＳＴ１１１で取り込んだ室内温度Ｔｉが所定の室内温度（以降、閾室内温度Ｔｉｐと記載する）未満であるか否かを判断する（ＳＴ１１４）。例えば、閾室内温度Ｔｉｐは、図６（Ｂ）の室外ファン制御テーブル５００に定められている室内温度：２７℃である。
【０１６１】
取り込んだ室内温度Ｔｉが閾室内温度Ｔｉｐ未満でなければ（ＳＴ１１４−Ｎｏ）、つまり、取り込んだ室内温度Ｔｉが閾室内温度Ｔｉｐ以上であれば、ＣＰＵ２１０は、ＳＴ１１８に処理を進める。取り込んだ室内温度Ｔｉが閾室内温度Ｔｉｐ未満であれば（ＳＴ１１４−Ｙｅｓ）、ＣＰＵ２１０は、現在の室外ファン回転数Ｒｆｏが０ｒｐｍとなっているか否かを判断する（ＳＴ１１５）。
【０１６２】
現在の室外ファン回転数Ｒｆｏが０ｒｐｍとなっていれば（ＳＴ１１５−Ｙｅｓ）、ＣＰＵ２１０は、ＳＴ１１８に処理を進める、つまり、室外ファン２７が停止している状態を維持する。現在の室外ファン回転数Ｒｆｏが０ｒｐｍとなっていなければ（ＳＴ１１５−Ｎｏ）、ＣＰＵ２１０は、室外ファン回転数Ｒｆｏを所定回転数（以降、維持時室外ファン回転数Ｒｆｏｂと記載する）として（ＳＴ１１６）、温度維持時室外ファン制御を終了してメインルーチンに戻る。例えば、維持時室外ファン回転数Ｒｆｏｂは、図６（Ｂ）の室外ファン制御テーブル５００に定められている室外ファン回転数Ｒｆｏ：１９０ｒｐｍである。
【０１６３】
以上説明したように、室内熱交加熱運転時に行われる温度維持運転中に、室外ファン制御テーブル５００を用いて温度維持時室外ファン制御を行う。これにより、室外ファン制御テーブル５００に基づいて室外ファン２７を制御することで室内熱交温度Ｔｃを５５℃〜５７℃の範囲に維持しているときに、圧縮機２１の吐出圧力が使用範囲の上限値を超えないようにできる。
【０１６４】
尚、上記ＳＴ１１５の処理で説明したように、温度維持時室外ファン制御では、いったん室外ファン２７を停止させると、その後は室内熱交加熱運転が終了するまでは室外ファン２７を駆動しない。これは、室内熱交温度Ｔｃを５５℃以上に維持しているときに、室外ファン２７を再起動することによって、室外熱交換器２３における蒸発能力が上昇して蒸発圧力が上昇し、これに伴って圧縮機２１の吐出圧力も上昇して使用範囲の上限値を超えることを防ぐためである。
【０１６５】
＜室内熱交加熱運転時保護制御＞
次に、上述した室内熱交加熱運転を行っているときに、圧縮機２１の吐出圧力が使用範囲の上限値を超えないようにする室内熱交加熱運転時保護制御について、図１１を用いて説明する。図１１において、ＳＴは処理のステップを表し、これに続く数字はステップ番号を表している。尚、室内熱交加熱運転時保護制御は、室内熱交加熱運転を行っているときに実行されるものであり、暖房運転を行っているときに実行される暖房運転時保護制御とは異なるものである。
【０１６６】
まず、制御手段は、室内熱交温度Ｔｃと吐出温度Ｔｄと室外熱交換器２３の温度（以降、室外熱交温度Ｔｅと記載する）と外気温度Ｔｏを取り込む（ＳＴ１３１）。これらのうち、室内熱交温度Ｔｃと吐出温度Ｔｄについては、図４を用いて説明した暖房運転時保護制御におけるＳＴ１１と同様の方法で取り込むため、説明は省略する。また、外気温度Ｔｏについては、図１０を用いて説明した温度維持時室外ファン制御におけるＳＴ１１１と同様の方法で取り込むため、説明は省略する。室外熱交温度Ｔｅは、ＣＰＵ２１０が、室外熱交温度センサ７２で検出した室外熱交温度Ｔｅを、センサ入力部２４０を介して定期的（例えば、３０秒毎）に取り込む。
【０１６７】
次に、制御手段は、ＳＴ１３１で取り込んだ室内熱交温度Ｔｃが第１閾室内熱交温度Ｔｃｈ１よりも高い温度である所定の温度（以降、第２閾室内熱交温度Ｔｃｈ２と記載する）以上であるか否かを判断する（ＳＴ１３２）。具体的には、ＣＰＵ３１０は、記憶部３２０に予め記憶されている第２閾室内熱交温度Ｔｃｈ２を読み出して室内熱交温度Ｔｃと比較する。尚、第２閾室内熱交温度Ｔｃｈ２は、予め試験などを行って求められているものであり、第１閾室内熱交温度Ｔｃｈ１よりも高く、かつ、前述した圧縮機２１の吐出圧力の使用範囲の上限値に対応する室内熱交温度Ｔｃより所定温度低い温度とされている。第２閾室内熱交温度Ｔｃｈ２は、例えば５９℃である。
【０１６８】
室内熱交温度Ｔｃが第２閾室内熱交温度Ｔｃｈ２以上であれば（ＳＴ１３２−Ｙｅｓ）、制御手段は、室内熱交加熱運転を停止して（ＳＴ１３６）、室内熱交加熱運転時保護制御に関わる処理を終了する。尚、ＳＴ１３６の処理を行った後は、空気調和機1の運転を停止させてもよい。また、圧縮機２１を停止させて室内ファン３２のみ駆動し続ける送風運転としてもよい。あるいは、圧縮機２１を所定回転数で駆動するとともに、膨張弁２４の開度Ｄを室内熱交加熱運転時の所定膨張弁開度Ｄｐよりも開き、かつ、室内ファン３２を室内熱交加熱運転時よりも高い室内ファン回転数Ｒｆｉで駆動して、一定時間室内熱交換器３１の乾燥運転を続けてもよい。この乾燥運転では、室内熱交加熱運転時よりも膨張弁２４の開度Ｄを大きくし、かつ、室内ファン回転数Ｒｆｉも高くするので、圧縮機２１の吐出圧力が室内熱交加熱運転時よりも低下する。
【０１６９】
室内熱交温度Ｔｃが第２閾室内熱交温度Ｔｃｈ２以上でなければ（ＳＴ１３２−Ｎｏ）、制御手段は、ＳＴ１３１で取り込んだ吐出温度Ｔｄが第１閾吐出温度Ｔｄｈ１以上であるか否かを判断する（ＳＴ１３３）。具体的には、ＣＰＵ２１０が、吐出温度Ｔｄが第１閾吐出温度Ｔｄｈ１以上であるか否かを判断する。
【０１７０】
取り込んだ吐出温度Ｔｄが第１閾吐出温度Ｔｄｈ１以上であれば（ＳＴ１３３−Ｙｅｓ）、制御手段は、ＳＴ１３６に処理を進める。
【０１７１】
取り込んだ吐出温度Ｔｄが第１閾吐出温度Ｔｄｈ１以上でなければ（ＳＴ１３３−Ｎｏ）、制御手段は、ＳＴ１３１で取り込んだ室外熱交温度Ｔｅが所定の室外熱交温度（以降、閾室外熱交温度Ｔｅｈと記載する）以上であるか否かを判断する（ＳＴ１３４）。具体的には、ＣＰＵ２１０が、取り込んだ室外熱交温度Ｔｅが閾室外熱交温度Ｔｅｈ以上であるか否かを判断する。ここで、閾室外熱交温度Ｔｅｈは、予め試験などを行って求められて記憶部２２０に記憶されているものであり、室外熱交温度Ｔｅが閾室外熱交温度Ｔｅｈ以上であれば、圧縮機２１の吸入圧力が上昇して圧縮機２１の圧縮比（吐出圧力と吸入圧力の比）が使用範囲の下限値を下回る恐れがある温度である。
【０１７２】
取り込んだ室外熱交温度Ｔｅが閾室外熱交温度Ｔｅｈ以上であれば（ＳＴ１３４−Ｙｅｓ）、制御手段は、ＳＴ１３６に処理を進める。
【０１７３】
取り込んだ室外熱交温度Ｔｅが閾室外熱交温度Ｔｅｈ以上でなければ（ＳＴ１３４−Ｎｏ）、制御手段は、ＳＴ１３１で取り込んだ外気温度Ｔｏが所定の外気温度（以降、第３閾外気温度Ｔｏｐ３と記載する）以上であるか否かを判断する（ＳＴ１３５）。具体的には、ＣＰＵ３１０が、取り込んだ外気温度Ｔｏが第３閾外気温度Ｔｏｐ３以上であるか否かを判断する。ここで、第３閾外気温度Ｔｏｐ３は、予め試験などを行って求められて記憶部２２０に記憶されているものであり、外気温度Ｔｏが第３閾外気温度Ｔｏｐ３以上であるときに室内熱交加熱運転を行えば、圧縮機２１の吐出圧力が過昇して圧縮機２１の吐出圧力の使用範囲の下限値を超える恐れがある温度である。第３閾外気温度Ｔｏｐ３は、前述した第１閾外気温度Ｔｏｐ１や第２閾外気温度Ｔｏｐ２より高い温度であり、例えば４３℃である。尚、第３閾外気温度Ｔｏｐ３が、本発明の閾外気温度である。
【０１７４】
取り込んだ外気温度Ｔｏが第３閾外気温度Ｔｏｐ３以上でなければ（ＳＴ１３４−Ｎｏ）、制御手段は、ＳＴ１３１に処理を戻す。取り込んだ外気温度Ｔｏが第３閾外気温度Ｔｏｐ３以上であれば（ＳＴ１３４−Ｙｅｓ）、制御手段は、ＳＴ１３６に処理を戻す。
【０１７５】
以上説明したように、室内熱交加熱運転時保護制御では、室内熱交温度Ｔｃが暖房運転時保護制御における第１閾室内熱交温度Ｔｃｈ１（＝５５℃）よりも高い第２閾室内熱交温度Ｔｃｈ２（＝５９℃）以上となるまで、圧縮機２１を停止させない。これにより、室外熱交加熱運転において室内熱交温度Ｔｃを５５℃〜５７℃に維持することができ、かつ、室内熱交温度Ｔｃが第２閾室内熱交温度Ｔｃｈ２以上となれば圧縮機２１を停止させるので、圧縮機２１の吐出圧力が使用範囲の上限値を超えることを抑制できる。
【０１７６】
また、室内熱交加熱運転時保護制御では、圧縮機２１の吐出温度Ｔｄが、暖房運転時保護制御で圧縮機２１を停止させる閾温度である第２閾吐出温度Ｔｄｈ２（＝１１５℃）よりも低い温度である第１閾吐出温度Ｔｄｈ１（＝１０５℃）以上となれば、圧縮機２１を停止させる。室内熱交加熱運転において室内熱交温度Ｔｃを５５℃〜５７℃に維持しているときは、圧縮機２１の吐出温度Ｔｄが上昇しやすくて吐出圧力も上昇しやすい。従って、吐出温度Ｔｄが、第２閾吐出温度Ｔｄｈ２よりも低い第１閾吐出温度Ｔｄｈ１以上となれば圧縮機２１を停止させることで、圧縮機２１の吐出圧力が使用範囲の上限値を超えることを効果的に抑制できる。
【０１７７】
さらには、室内熱交加熱運転時保護制御では、暖房運転時保護制御にはない室外熱交温度Ｔｅによる圧縮機２１の停止も含まれている。本発明の室内熱交加熱運転は、室内熱交換器３１で発生する凝縮水によりカビや細菌が繁殖する可能性が高くなる冷房運転が行われる夏季に実行されることが多いと考えられる。夏季は外気温度Ｔｏが高く、外気温度Ｔｏが高いことに起因して、室内熱交加熱運転では蒸発器として機能する室外熱交換器２３の室外熱交温度Ｔｅが高くなる。この場合、室外熱交温度Ｔｅが高くなることに起因して圧縮機２１の吸入圧力が上昇する恐れがある。そこで、室内熱交加熱運転時保護制御では、室外熱交温度Ｔｅが閾室外熱交温度Ｔｅｈ以上であれば圧縮機２１を停止して圧縮機２１の吸入圧力が上昇することを抑制することで、圧縮機２１の圧縮比が使用範囲の下限値を下回ることを抑制できる。
【符号の説明】
【０１７８】
１  空気調和機
２  室外機
３  室内機
１０  冷媒回路
２１  圧縮機
２７  室外ファン
３２  室内ファン
３５  上下風向板
７１  吐出温度センサ
７２  室外熱交温度センサ
７３  外気温度センサ
７４  室内熱交温度センサ
７５  室内温度センサ
２００  室外機制御手段
２１０  室外機ＣＰＵ
３００  室内機制御手段
３１０  室内機ＣＰＵ
４００  室内ファン制御テーブル
５００  室外ファン制御テーブル
Ｔｃ  室内熱交温度
Ｔｃｈ１  第１閾室内熱交温度
Ｔｃｈ２  第２閾室内熱交温度
Ｔｃ１〜Ｔｃ５  第１〜第５閾室内熱交温度
ΔＴｃ  室内熱交温度変化
Ｔｅ  室外熱交温度
Ｔｅｈ  閾室外熱交温度
Ｔｄ  吐出温度
Ｔｄｈ１  第１閾吐出温度
Ｔｄｈ２  第２閾吐出温度
Ｔｉ  室内温度
Ｔｉｐ  閾室内温度
Ｔｏ  外気温度
Ｔｏｐ１  第１閾外気温度
Ｔｏｐ２  第２閾外気温度
Ｔｏｐ３  第３閾外気温度
Ｔｐ  設定温度
ΔＴ  温度差
Ｔｃｈ１  第１上下室内熱交温度
Ｔｃｈ２  第２上下室内熱交温度
ｔｐ１  第１所定時間
ｔｐ２  第２所定時間
ｔｐ３  第３所定時間
ｔｃ  圧縮機レリース間隔時間
ｔｆｉ  室内ファンレリース間隔時間
Ｒｃ  圧縮機回転数
Ｒｃｒ  圧縮機レリース回転数
Ｒｃｍ  圧縮機最低回転数
Ｒｆｉ  室内ファン回転数
Ｒｆｉａ  加熱前室内ファン回転数
Ｒｆｉｒ  室内ファンレリース回転数
Ｒｆｉｍ  室内ファン最低回転数
Ｒｆｉｐ  室内ファン初期回転数
Ｒｆｏ  室外ファン回転数
Ｒｆｏａ  加熱前室外ファン回転数
Ｒｆｏｂ  維持時室外ファン回転数
Ｄ  膨張弁開度
Ｄｐ  所定膨張弁開度
【図１】
2019060528.tif 000003
【図２】
2019060528.tif 000004
【図３】
2019060528.tif 000005
【図４】
2019060528.tif 000006
【図５】
2019060528.tif 000007
【図６】
2019060528.tif 000008
【図７】
2019060528.tif 000009
【図８】
2019060528.tif 000010
【図９】
2019060528.tif 000011
【図１０】
2019060528.tif 000012
【図１１】
2019060528.tif 000013
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
室内熱交換器と、同室内熱交換器の温度である室内熱交温度を検出する室内熱交温度センサを有する室内機と、
圧縮機を有する室外機と、
前記圧縮機を制御する制御手段と、
を有する空気調和機であって、
前記制御手段は、
前記室内熱交換器を凝縮器として機能させているとき、暖房運転時に実行される第１保護制御あるいは前記室内熱交温度を同室内熱交換器に存在するカビや細菌の数を減少させる摂氏４５度以上かつ摂氏５９度以下に維持する室内熱交加熱運転時に実行される第２保護制御を実行し、
前記第１保護制御は、前記室内熱交温度が所定の第１閾室内熱交温度より高い温度となれば実行されるものであり、
前記第２保護制御は、前記室内熱交温度が前記第１閾室内熱交温度より高い所定の第２閾室内熱交温度より高い温度となれば実行されるものである、
ことを特徴とする空気調和機。
【請求項２】
前記第２閾室内熱交温度は、前記室内熱交加熱運転時の前記室内熱交温度の目標温度より高い温度である、
ことを特徴とする請求項１に記載の空気調和機。
【請求項３】
前記制御手段は、
前記第１保護制御において、前記室内熱交温度が前記第１閾室内熱交温度より高い温度となれば、前記暖房運転を停止し、
前記第２保護制御において、前記室内熱交温度が前記第２閾室内熱交温度より高い温度となれば、前記室内熱交加熱運転を停止する、
ことを特徴とする請求項１乃至請求項２のいずれかに記載の空気調和機。
【請求項４】
前記室外機は、前記圧縮機から吐出される冷媒の温度である吐出温度を検出する吐出温度センサを有し、
前記第２保護制御は、前記室内熱交温度に加えて、前記吐出温度が所定の第１閾吐出温度より高い温度となれば実行され、
前記第１保護制御は、前記室内熱交温度に加えて、前記吐出温度が前記第１閾吐出温度より高い所定の第２吐出温度となれば実行さる、
ことを特徴とする請求項１乃至請求項３のいずれかに記載の空気調和機。
【請求項５】
前記室外機は、室外熱交換器と、同室外熱交換器の温度である室外熱交温度を検出する室外熱交温度センサを有し、
前記第２保護制御は、前記室内熱交温度および前記吐出温度に加えて、前記室外熱交温度が所定の閾室外熱交温度より高い温度となれば実行される、
ことを特徴とする請求項１乃至請求項４のいずれかに記載の空気調和機。
【請求項６】
前記室外機は、外気温度を検出する外気温度センサを有し、
前記第２保護制御は、前記室内熱交温度および前記吐出温度および前記室外熱交温度に加えて、前記外気温度が所定の閾外気温度より高い温度となれば実行される、
ことを特徴とする請求項１乃至請求項６のいずれかに記載の空気調和機。
【請求項７】
前記第１保護制御における前記暖房運転の停止、および、前記第２保護制御における前記室内熱交加熱運転の停止では、それぞれ前記圧縮機が停止される、
ことを特徴とする請求項３に記載の空気調和機。